(57)【特許請求の範囲】
【請求項１】
ネットワークを通じてアクセス端末装置と接続可能な遺言管理装置であって、
遺言者により設定された前記遺言者自身の認証用情報と、前記遺言者により設定された相続人の認証用情報と、前記遺言者により設定された参照者の認証用情報と、前記遺言者を特定するための情報と、前記遺言者の遺言または遺言に関連する情報とを対応付けて保持する格納手段と、
遺言者の死亡を確認するための書類の記載内容を認識して死亡した前記遺言者を特定するための情報を取得する取得手段と、
前記取得手段で取得した前記遺言者を特定するための情報と、前記格納手段に格納されている前記遺言者を特定するための情報とを照合して、前記死亡した遺言者を確認する確認手段と、
前記アクセス端末装置からの前記ネットワークを通じたアクセスがあった時に、前記アクセス端末装置にアクセス者の問い合わせを行い、前記問い合わせに対応してアクセス者から送られてくる、アクセス者は前記遺言者、前記相続人または参照者のいずれでかの応答を判別する第１の判別手段と、
前記第１の判別手段により、前記応答が前記アクセス者は前記遺言者であるとしていると判別されたときに、前記アクセス端末装置から送られてくる認証用情報と、前記格納手段に保持されている前記遺言者自身の認証用情報とを比較することで前記アクセス者が前記遺言者であることの認証を行う第１の認証手段と、
前記第１の認証手段により前記アクセス者が前記遺言者であることの認証が取れた時に、前記アクセス者による前記遺言者の遺言または前記遺言に関連する情報に対する変更を受け付ける手段と、
前記第１の判別手段により、前記応答が前記アクセス者は前記相続人であるとしていると判別されたときに、前記アクセス端末装置から送られてくる認証用情報と、前記格納手段に保持されている前記相続人の認証用情報とを比較することで前記アクセス者が前記相続人であることの認証を行う第２の認証手段と、
前記第２の認証手段により前記アクセス者が前記相続人であることの認証が取れた時に、前記アクセス者である相続人に対応する遺言者を認識し、認識した遺言者が前記確認手段で死亡が確認された遺言者であるか否かを判別する第２の判別手段と、
前記第２の判別手段で、前記認識した遺言者が前記確認手段で死亡が確認されていない遺言者であるときには、前記アクセス者による前記アクセスを拒否し、前記認識した遺言者が前記確認手段で死亡が確認された遺言者であるときには、前記アクセス者を前記相続人としてアクセスを受け付ける手段と、
前記第１の判別手段により、前記応答が前記アクセス者は前記参照者であるとしていると判別されたときに、前記アクセス端末装置から送られてくる認証用情報と、前記格納手段に保持されている前記参照者の認証用情報とを比較することで前記アクセス者が前記参照者であることの認証を行う第３の認証手段と、
前記第３の認証手段により前記アクセス者が前記遺言者であることの認証が取れた時に、前記格納手段に格納されている前記遺言者の遺言または前記遺言に関連する情報のうちの、前記遺言者により参照許可が設定されている情報のみを、前記参照者への参照情報として許可する手段と、
を備える遺言管理装置。
【請求項２】
前記遺言者の遺言書には、別途、明細目録を参照すべき旨の記述を含み、前記明細目録は、前記遺言に関連する情報として、前記格納手段に保持されると共に、
前記第１の認証手段により前記アクセス者が前記遺言者であることの認証が取れた時に、前記明細目録の更新を可能とする
ことを特徴とする請求項１に記載の遺言管理装置。
【請求項３】
前記取得手段は、前記遺言者の死亡を確認するための書類の記載内容を画像認識して、前記遺言者の氏名、住所、生年月日などの遺言者属性の情報を、前記遺言者を特定するための情報として抽出し、
前記確認手段は、前記取得手段で取得した前記遺言者属性の情報と、前記格納手段に前記遺言者を特定するための情報として格納されている前記遺言者属性の情報とを照合して、前記死亡した遺言者を確認する
ことを特徴とする請求項１または請求項２のいずれかに記載の遺言管理装置。
【請求項４】
前記遺言または前記遺言に関連する情報には、前記遺言者が死後に望む手続の情報を含み、当該手続のうち前記遺言者により選定された所定の手続については、前記確認手段で死亡した遺言者が確認された後に代行する手段を備える
ことを特徴とする請求項１〜請求項３のいずれかに記載の遺言管理装置。
【請求項５】
前記遺言または前記遺言に関連する情報には、前記遺言者により登録されたインターネット上のサービス提供サイトにアクセスするための認証用情報を含み、
前記認証用情報が、本人以外の使用が認められているか否かを判断する判断手段と、
前記確認手段で死亡した遺言者が確認された後に、前記死亡した前記遺言者により登録された前記サービス提供サイトのうち、前記判断手段において本人以外の使用が認められていないと判断された前記サービス提供サイトに関しては自動退会するための手続を代行する手段と
を備えることを特徴とする請求項１〜請求項４のいずれに記載の遺言管理装置。
【請求項６】
前記確認手段で死亡した遺言者が確認された後に、前記死亡した前記遺言者により登録された前記サービス提供サイトのうち、前記判断手段において本人以外の使用が認められていると判断された前記サービス提供サイトに関しては、遺族による相続するか否かの判断結果に基づき、相続手続の代行をするか否かを決定する
ことを特徴とする請求項５に記載の遺言管理装置。
【請求項７】
遺言管理装置と、この遺言管理装置とネットワークを通じて接続されるアクセス端末装置とからなる遺言管理システムにおける遺言管理方法であって、
前記遺言管理装置は、
前記ネットワークを通じた前記アクセス端末装置からのアクセスを受け付けるためのアクセス受付工程と、
遺言者により設定された前記遺言者自身の認証用情報と、前記遺言者により設定された相続人の認証用情報と、前記遺言者により設定された参照者の認証用情報と、前記遺言者を特定するための情報と前記遺言者の遺言または遺言に関連する情報とを対応付けて保持する格納工程と、
遺言者の死亡を確認するための書類の記載内容を認識して死亡した前記遺言者を特定するための情報を取得する取得工程と、
前記取得工程で取得した前記遺言者を特定するための情報と、前記格納工程で保持されている前記遺言者を特定するための情報とを照合して、前記死亡した遺言者を確認する確認工程と、
前記アクセス端末装置からの前記ネットワークを通じたアクセスがあった時に、前記アクセス端末装置にアクセス者の問い合わせを行い、前記問い合わせに対応してアクセス者から送られてくる、アクセス者は前記遺言者、前記相続人または参照者のいずれでかの応答を判別する第１の第１の判別工程と、
前記第１の判別工程により、前記応答が前記アクセス者は前記遺言者であるとしていると判別されたときに、前記アクセス端末装置から送られてくる認証用情報と、前記格納工程で保持されている前記遺言者自身の認証用情報とを比較することで前記アクセス者が前記遺言者であることの認証を行う第１の認証工程と、
前記第１の認証工程で前記アクセス者が前記遺言者であることの認証が取れた時に、前記アクセス者による前記遺言者の遺言または前記遺言に関連する情報に対する変更を受け付ける工程と、
前記第１の判別工程により、前記応答が前記アクセス者は前記相続人であるとしていると判別されたときに、前記アクセス端末装置から送られてくる認証用情報と、前記格納工程で保持されている前記相続人の認証用情報とを比較することで前記アクセス者が前記相続人であることの認証を行う第２の認証工程と、
前記第２の認証工程で前記アクセス者が前記相続人であることの認証が取れた時に、前記アクセス者である相続人に対応する遺言者を認識し、認識した遺言者が前記確認工程で死亡が確認された遺言者であるか否かを判別する第２の判別工程と、
前記第２の判別工程で、前記認識した遺言者が前記確認工程で死亡が確認されていない遺言者であるときには、前記アクセス者による前記アクセスを拒否し、前記認識した遺言者が前記確認工程で死亡が確認された遺言者であるときには、前記アクセス者を前記相続人としてアクセスを受け付ける工程と、
前記第１の判別工程で、前記応答が前記アクセス者は前記参照者であるとしていると判別されたときに、前記アクセス端末装置から送られてくる認証用情報と、前記格納工程で保持されている前記参照者の認証用情報とを比較することで前記アクセス者が前記参照者であることの認証を行う第３の認証工程と、
前記第３の認証工程で、前記アクセス者が前記遺言者であることの認証が取れた時に、前記格納工程で保持されている前記遺言者の遺言または前記遺言に関連する情報のうちの、前記遺言者により参照許可が設定されている情報のみを、前記参照者への参照情報として許可する工程と、
を有する遺言管理方法。
【発明の詳細な説明】
【技術分野】
【０００１】
この発明は、遺言管理装置、遺言管理システムおよび遺言管理方法に関する。
【背景技術】
【０００２】
個人が資産を自分の意志に基づいて相続させる場合には、遺言書を作成して残す方法が一般的である。この場合に、日本国の民法によると、遺言書（遺言証書）には、自筆証書遺言、公正証書遺言、秘密証書遺言の３種類があるが、いずれも書面として作成する必要がある。したがって、遺言書に資産内容に応じた相続について記載している場合には、その資産内容に変更が生じたために遺言内容を変更する必要があるときには、遺言者が再度、当該書面を作成しなければならず、面倒である。また、これらの遺言書は書面であるため、遺言書の改竄、滅失、手続、家裁の検認が必要など、一長一短がある。さらには、この遺言証書は、信頼のできる親族や弁護士などに預かってもらうことになるが、当該遺言証書を変更する毎に、それら預託者に連絡する必要もある。
【０００３】
一方、遺言や個人資産の情報をインターネット上の遺言登録サイトに登録して管理してもらうことが提案されている（特許文献１（特開２００２−１９７２８７号公報）、特許文献２（特開２００２−２７９０５１号公報）、特許文献３（特開２０００−２５１００６号公報）など参照）。
【０００４】
このようなインターネットの登録サイトがあれば、遺言者は、自分の意志を簡単に登録しておくことができ、また、遺言内容の変更登録手続も比較的簡単になり、便利である。
【先行技術文献】
【特許文献】
【０００５】
【特許文献１】特開２００２−１９７２８７号公報
【特許文献２】特開２００２−２７９０５１号公報
【特許文献３】特開２０００−２５１００６号公報
【発明の概要】
【発明が解決しようとする課題】
【０００６】
上述のように、遺言登録サイトに遺言内容を登録することができれば、遺言者は、遺言内容をいつでも変更して更新したりすることが可能であり、弁護士や信頼のおける親族にその遺言内容の変更の都度、連絡をする必要が無く、便利である。
【０００７】
しかし、その一方で、遺言登録サイトに登録された遺言内容が容易に親族などに開示されない仕組み、あるいは遺言内容が容易に改竄されないセキュリティの高い仕組みが重要である。
【０００８】
この発明は、上記の仕組みを構築することができる遺言管理装置、遺言管理システムおよび遺言管理方法を提供することを目的とする。
【課題を解決するための手段】
【０００９】
上記の課題を解決するために、請求項１の発明は、
ネットワークを通じてアクセス端末装置と接続可能な遺言管理装置であって、
遺言者により設定された前記遺言者自身の認証用情報と、前記遺言者により設定された相続人の認証用情報と、前記遺言者により設定された参照者の認証用情報と、前記遺言者を特定するための情報と、前記遺言者の遺言または遺言に関連する情報とを対応付けて保持する格納手段と、
遺言者の死亡を確認するための書類の記載内容を認識して死亡した前記遺言者を特定するための情報を取得する取得手段と、
前記取得手段で取得した前記遺言者を特定するための情報と、前記格納手段に格納されている前記遺言者を特定するための情報とを照合して、前記死亡した遺言者を確認する確認手段と、
前記アクセス端末装置からの前記ネットワークを通じたアクセスがあった時に、前記アクセス端末装置にアクセス者の問い合わせを行い、前記問い合わせに対応してアクセス者から送られてくる、アクセス者は前記遺言者、前記相続人または参照者のいずれでかの応答を判別する第１の判別手段と、
前記第１の判別手段により、前記応答が前記アクセス者は前記遺言者であるとしていると判別されたときに、前記アクセス端末装置から送られてくる認証用情報と、前記格納手段に保持されている前記遺言者自身の認証用情報とを比較することで前記アクセス者が前記遺言者であることの認証を行う第１の認証手段と、
前記第１の認証手段により前記アクセス者が前記遺言者であることの認証が取れた時に、前記アクセス者による前記遺言者の遺言または前記遺言に関連する情報に対する変更を受け付ける手段と、
前記第１の判別手段により、前記応答が前記アクセス者は前記相続人であるとしていると判別されたときに、前記アクセス端末装置から送られてくる認証用情報と、前記格納手段に保持されている前記相続人の認証用情報とを比較することで前記アクセス者が前記相続人であることの認証を行う第２の認証手段と、
前記第２の認証手段により前記アクセス者が前記相続人であることの認証が取れた時に、前記アクセス者である相続人に対応する遺言者を認識し、認識した遺言者が前記確認手段で死亡が確認された遺言者であるか否かを判別する第２の判別手段と、
前記第２の判別手段で、前記認識した遺言者が前記確認手段で死亡が確認されていない遺言者であるときには、前記アクセス者による前記アクセスを拒否し、前記認識した遺言者が前記確認手段で死亡が確認された遺言者であるときには、前記アクセス者を前記相続人としてアクセスを受け付ける手段と、
前記第１の判別手段により、前記応答が前記アクセス者は前記参照者であるとしていると判別されたときに、前記アクセス端末装置から送られてくる認証用情報と、前記格納手段に保持されている前記参照者の認証用情報とを比較することで前記アクセス者が前記参照者であることの認証を行う第３の認証手段と、
前記第３の認証手段により前記アクセス者が前記遺言者であることの認証が取れた時に、前記格納手段に格納されている前記遺言者の遺言または前記遺言に関連する情報のうちの、前記遺言者により参照許可が設定されている情報のみを、前記参照者への参照情報として許可する手段と、
を備える遺言管理装置を提供する。
【００１０】
この請求項１の発明においては、格納手段には、予め、遺言者により設定された遺言者自身の認証用情報と、遺言者により設定された相続人の認証用情報と、遺言者により設定された参照者の認証用情報と、氏名、住所、生年月日など遺言者を特定するための情報と、当該遺言者の遺言または遺言に関連する情報とが対応付けられて格納保持されている。そして、例えば相続人などにより、死亡届、死亡診断書、埋葬証明書などの死亡を確認するための書類が提供されると、取得手段で、当該書類の記載内容を画像認識により認識し、氏名、住所、生年月日など遺言者を特定するための情報が抽出される。
【００１１】
そして、確認手段で、取得手段で取得された遺言者を特定するための情報と、格納手段に格納されている遺言者を特定するための情報とが照合されて、死亡した遺言者が確認される。そして、アクセス端末装置からのアクセスを遺言管理装置が受信したときには、当該アクセスのアクセス者が遺言者、相続人、参照者のいずれの者であるかをアクセス端末装置のアクセス者に問い合わせる。
そして、その応答に応じて、遺言者により設定登録された認証用情報と、アクセス端末装置から送られてくる認証用情報とを比較して、アクセス者の認証を実行する。アクセス者が遺言者本人であることの確認認証ができた時には、遺言やまたは遺言に関連する情報の変更を許可する。また、アクセス者が相続人である場合には、認証用情報により認証を確認したとしても、さらに、当該相続人に対応する遺言者が既に死亡しているか否か判別し、死亡していなければ、その相続人によるアクセスは拒否する。また、アクセス者が参照者の場合には、認証確認ができた時には、遺言者が参照を許可している情報のみを参照可能とするようにする。
【００１２】
以上のようにして、請求項１の発明によれば、相続人などは、遺言者の死後にのみ、遺言者により格納手段に残された遺言または当該遺言に関連する情報を参照することができるようになる。換言すれば、遺言者以外の者は、遺言者の死後にのみ、遺言者の遺言または当該遺言に関連する情報を参照することができるようになるだけで、遺言者の生存中は、前記遺言等にアクセスすることができない。したがって、遺言者の生存中は、その遺言内容に対するセキュリティを確保することができる。
【００１３】
また、請求項２の発明は、請求項１に記載の遺言管理装置において、
前記遺言者の遺言書には、別途、明細目録を参照すべき旨の記述を含み、前記明細目録は、前記遺言に関連する情報として、前記格納手段に保持されるものであると共に、
予め前記遺言者に対してのみ設定された所定の情報を伴うアクセスがあったときにのみ、前記明細目録の更新を可能とすることを特徴とする。
【００１４】
この請求項２の発明によれば、遺言書には、相続人および当該相続人に相続させる相続財産の遺贈について必要最小限のことのみを記述しておくと共に、詳細な相続財産の具体的内容については別途、明細目録を参照すべき旨を記述して書面を認めておくことができる。そして、遺言者は、明細目録を遺言管理装置の格納手段に格納しておくことができ、さらに、自分に対して設定された所定の情報を伴うアクセスを遺言管理装置に対して行うことにより、この格納手段に格納されている明細目録に対してアクセスして、その内容を変更して更新することができる。したがって、遺言者は、遺言証書を変更することなく、明細目録の内容のみを変更することで、遺言の具体的な内容を最新の状態に維持管理することができる。
【００１５】
また、この請求項２の場合、遺言者に対して設定された所定の情報を知得できない他の者は、格納手段に格納されている明細目録に対してアクセスすることできないため、明細目録のセキュリティを確保することができる。
【発明の効果】
【００１８】
この発明によれば、遺言者の生存中は、遺言管理装置に登録された遺言内容が容易に親族などに開示されないようにすることができると共に、遺言内容が容易に改竄されないようにすることができる。
【図面の簡単な説明】
【００１９】
【図１】この発明による遺言管理システムの実施形態の全体の概要を説明するための図である。
【図２】この発明の実施形態における遺言書の一例を説明する図である。
【図３】この発明の実施形態における遺言者登録情報の一例を示す図である。
【図４】この発明の実施形態における遺言明細目録の一例を示す図である。
【図５】この発明の実施形態における死後代行登録情報の一例を示す図である。
【図６】この発明による遺言管理システムの実施形態の全体の概要を説明するための図である。
【図７】この発明の実施形態におけるネット資産の登録情報の一例を示す図である。
【図８】この発明による遺言管理システムの実施形態の全体の概要を説明するための図である。
【図９】この発明による遺言管理装置の実施形態としての遺言登録サーバの一例の構成を示すブロック図である。
【図１０】図９の例の遺言登録サーバにおける処理動作例を説明するためのフローチャートの一部を示す図である。
【図１１】図９の例の遺言登録サーバにおける処理動作例を説明するためのフローチャートの一部を示す図である。
【図１２】図９の例の遺言登録サーバにおける処理動作例を説明するためのフローチャートの一部を示す図である。
【図１３】図９の例の遺言登録サーバにおける処理動作例を説明するためのフローチャートの一部を示す図である。
【図１４】図９の例の遺言登録サーバにおける処理動作例を説明するためのフローチャートの一部を示す図である。
【図１５】図９の例の遺言登録サーバにおける処理動作例を説明するためのフローチャートの一部を示す図である。
【図１６】図９の例の遺言登録サーバにおける処理動作例を説明するためのフローチャートの一部を示す図である。
【図１７】図９の例の遺言登録サーバにおける処理動作例を説明するためのフローチャートの一部を示す図である。
【図１８】図９の例の遺言登録サーバにおける処理動作例を説明するためのフローチャートの一部を示す図である。
【図１９】図９の例の遺言登録サーバにおける処理動作例を説明するためのフローチャートの一部を示す図である。
【図２０】図９の例の遺言登録サーバにおける処理動作例を説明するためのフローチャートを示す図である。
【図２１】図９の例の遺言登録サーバにおける処理動作例を説明するためのフローチャートの一部を示す図である。
【図２２】図９の例の遺言登録サーバにおける処理動作例を説明するためのフローチャートの一部を示す図である。
【発明を実施するための形態】
【００２０】
以下、この発明による遺言管理装置、遺言管理システムおよび遺言管理方法の実施形態を、図を参照しながら説明する。
【００２１】
図１は、この発明による遺言管理システムの実施形態の全体構成の概略を説明するための図である。この実施形態の遺言管理システムは、遺言登録サーバ１と、本人装置２と、相続人装置３と、参照者装置４とが、インターネットなどのネットワーク５を通じて接続されている。
【００２２】
遺言登録サーバ１は、遺言登録サイトに設置されているもので、大容量メモリを備えるコンピュータで構成されている。遺言登録サーバ１は、この発明による遺言管理装置の実施形態を構成する。
【００２３】
本人装置２は、遺言者２Ａがネットワーク５を通じて遺言登録サーバ１にアクセスして、後述するような種々の情報を登録または更新するための装置であり、例えばパーソナルコンピュータで構成されている。
【００２４】
相続人装置３は、相続人３Ａがネットワーク５を通じて遺言登録サーバ１にアクセスして、遺言者２Ａにより登録または更新された情報を遺言者の死後に閲覧参照するための装置であり、例えばパーソナルコンピュータで構成されている。また、参照者装置４は、遺言内容を知りたい者である参照者４Ａがネットワーク５を通じて遺言登録サーバ１にアクセスして、遺言者２Ａにより登録または更新された情報を遺言者の生前に参照するための装置であり、例えばパーソナルコンピュータで構成されている。
【００２５】
この実施形態では、遺言登録サーバ１にアクセスする際に使用するＩＤ（Identification）およびパスワードは、遺言者２Ａ、相続人３Ａおよび参照者４Ａに対して、それぞれ独立に、遺言者２Ａによって設定される。一般的には、遺言者２Ａ、相続人３Ａおよび参照者４Ａに対して、それぞれ異なるＩＤおよびパスワードが設定される。しかし、同じＩＤおよびパスワードを遺言者２Ａと、相続人３Ａと、参照者４Ａとで使用するように、遺言者２Ａが設定するのを妨げるものではない。
【００２６】
相続人３Ａおよび参照者４Ａは、遺言登録サーバ１にアクセスしたときには、遺言者２Ａにより登録または更新された情報を参照することができるだけで、情報を追加したり、変更したりすることはできない構成とされている。以上のようにすることにより、遺言登録サーバ１に登録されている情報に対するセキュリティを高めることができる。
【００２７】
なお、本人装置２、相続人装置３、参照者装置４は、図１では別々の装置として示したが、同一の装置であっても良い。例えば、相続人３Ａと参照者４Ａとは同一人である場合もあるが、その場合には、相続人装置３と参照者装置４とは、同一の装置である可能性が高い。
【００２８】
＜遺言者による遺言および遺言に関連する情報の登録＞
この実施形態では、図１に模式的に示すように、遺言者２Ａは、書面として遺言書（遺言証書）６を作成し、当該作成した遺言書６を管理者７に渡して、秘密保持して管理してもらうように依頼する。遺言者２Ａは、管理者７としては、自分の伴侶や親族または弁護士など、信頼の置ける者を選定するようにする。
【００２９】
そして、この実施形態では、遺言書６には、必要最低限の遺言内容のみを記載して、遺産相続される具体的内容には、遺言明細目録として遺言登録サイトの遺言登録サーバ１に登録するようにする。これにより、遺言者２Ａが遺言の具体的内容を変更したい状況になっても、できるだけ遺言書６自体は変更せずに、明細目録のみを変更することで済ますことができる。
【００３０】
遺言書６の具体例を図２に示す。この図２の例の遺言書６は、遺言者「鈴木太郎」が、相続財産として所有する預貯金と、不動産と、ゴルフ会員権とを、息子「鈴木源太」を相続人として認めたものである。図２に示されるように、この遺言書６には、相続財産である預貯金と、不動産と、ゴルフ会員権とを、それぞれ息子「鈴木源太」に遺贈する旨が記載されているが、それら預貯金、不動産およびゴルフ会員権の具体的内容については記述されていない。その代わりに、この遺言書６には、それら預貯金、不動産およびゴルフ会員権の具体的内容については、遺言登録サイトの遺言登録サーバ１に預託されており、当該遺言登録サイトにアクセスしてその内容を参照すべしとの一文が記述されている。
【００３１】
さらに、この遺言書６には、遺言者「鈴木太郎」の死亡診断書、死亡届または埋葬証明書の写しを遺言登録サイトに送ることにより、当該遺言登録サイトにアクセスするためのＵＲＬ（Uniform Resource Locator）を得るようにすることが記述されている。また、さらに、当該ＵＲＬを用いて遺言登録サイトにアクセスする際には、当該遺言書６の管理者に遺言者から予め伝えられている相続人用のＩＤおよびパスワードを取得するように要求する記述も、当該遺言書６には含まれている。
【００３２】
そして、遺言者「鈴木太郎」は、管理者７に、相続人用のＩＤおよびパスワードを記述した書面を渡すなどして、相続人用のＩＤおよびパスワードを伝えておくようにするものである。
【００３３】
以上のような遺言書を作成する遺言者２Ａは、遺言明細目録を含む情報を遺言登録サーバ１に登録するために、遺言登録サイトに会員登録する。そして、遺言者２Ａは、遺言者本人が遺言登録サーバ１にアクセスする際に必要な遺言者本人用のＩＤおよびパスワードの設定をする。
【００３４】
遺言者２Ａは、本人装置２を用いて遺言登録サーバ１に対してアクセスし、設定した遺言者本人用のＩＤおよびパスワードにより遺言登録サーバ１との間での認証確認をとることにより、遺言登録サーバ１との通信路を確立し、図１に示すような遺言および遺言に関連する種々の情報を登録して保持することができる。
【００３５】
この実施形態では、遺言者２Ａは、遺言登録サーバ１に対して、遺言および遺言に関連する情報として複数個の登録可能項目を登録することが可能である。この例では、遺言者２Ａは、遺言者登録情報と、遺言明細目録の情報と、遺言書等複製の情報と、死後代行登録情報と、ネット資産情報とを、登録可能項目として保持要求することができる。
【００３６】
この実施形態では、これら複数の登録可能項目のうち、遺言者登録情報と遺言明細目録の情報とは、必須登録項目とされ、その他は、遺言者が登録するかどうかを任意に選択することができるものとされている。
【００３７】
この実施形態では、遺言登録サイトに会員登録した遺言者のそれぞれには、各遺言者を区別して識別するための遺言者識別子が付与される。そして、後述するように、遺言者２Ａのそれぞれによって遺言登録サーバ１に登録された遺言者登録情報と、遺言明細目録の情報と、遺言書等複製の情報と、死後代行登録情報と、ネット資産情報とは、それぞれの遺言者識別子に対応付けられて管理される。
【００３８】
遺言者登録情報としては、この例では、遺言者本人を特定するための情報と、遺言登録サーバ１にアクセスするためのＩＤおよびパスワードと、登録項目の情報とが、遺言者識別子に対応付けられて、遺言登録サーバ１の格納部に格納保持される。
【００３９】
この実施形態における遺言者登録情報の一例を図３に示す。この図３において、遺言者氏名、性別、生年月日、住所等は、遺言者識別子で識別される遺言者を特定するための情報として登録される。また、遺言者本人用のＩＤ（本人用ＩＤという）およびパスワード、相続人用ＩＤおよびパスワード、参照者用ＩＤおよびパスワードが、遺言者２Ａにより設定されて遺言者登録情報の一部として登録される。
【００４０】
さらに、この遺言者登録情報の登録項目の情報は、登録するか否かを任意に選択可能な登録可能項目のそれぞれについて、当該遺言登録サーバ１に遺言者２Ａが実際に登録しているかどうかを示す情報である。この登録項目の情報は、当該遺言登録サーバ１自身が、前記登録可能項目について遺言者２Ａによって登録されたか否かを判断して記録する。図３において、○印が付与されている登録項目は遺言登録サーバ１に登録されていることを示しており、また、×印が付与されている登録項目は遺言登録サーバ１に登録されていないことを示している。
【００４１】
遺言者登録情報は、遺言者２Ａが本人装置２からネットワーク５を通じて遺言登録サーバ１にアクセスして登録するようにしても良いし、会員登録の際に電子メールや書面（ＦＡＸを含む）により遺言登録サイトの運営会社に送付するようにしても良い。後者の場合には、遺言登録情報は、遺言登録サイトの運営会社のオペレータにより入力されることにより、遺言登録サーバ１に遺言登録情報が登録保持される。
【００４２】
遺言登録サーバ１に遺言者登録情報のうち、少なくとも遺言者を特定するための情報と本人用ＩＤおよびパスワードの登録を完了した遺言者２Ａは、本人装置２から遺言登録サーバ１にアクセスして、遺言明細目録、遺言書等複製、死後代行登録、ネット資産の情報を登録して保持要求することができる。また、遺言者２Ａは、これら遺言登録サーバ１に登録した情報内容を追加、変更して更新したいときにも、遺言登録サーバ１にアクセスして、それらの情報を更新要求することができる。この遺言者２Ａによる遺言明細目録などの登録または更新の際には、遺言者２Ａは、登録した本人用ＩＤおよびパスワードを用いて遺言登録サーバ１にアクセスする。
【００４３】
遺言登録サーバ１は、遺言者２Ａからのアクセスを受けたときに、前記本人用ＩＤおよびパスワードと、遺言者登録情報に登録されている各遺言者の本人用ＩＤおよびパスワードとを比較参照する。そして、遺言登録サーバ１は、アクセスしてきた遺言者の本人装置２から送られてきたＩＤおよびパスワードが、遺言者登録情報に登録されている本人用ＩＤおよびパスワードのいずれかと一致したときに、認証が取れたとして認証確認する。認証確認ができると遺言登録サーバ１は、本人装置２との間に通信路を確立する。遺言登録サーバ１は、また、一致した本人用ＩＤおよびパスワードに対応する遺言者識別子を遺言者登録情報から特定して、アクセスしてきた遺言者の遺言者識別子として認識する。
【００４４】
こうして本人装置２と、遺言登録サーバ１との間に通信路が確立された後、遺言者２Ａは、遺言明細目録などの登録可能項目の情報を登録あるいは更新の処理を行うことができる。登録あるいは更新された登録可能項目の情報を受けると遺言登録サーバ１は、登録あるいは更新された登録可能項目の情報を、認識した遺言者識別子に対応付けて格納するようにする。
【００４５】
遺言登録サーバ１に格納される登録可能項目である遺言明細目録、遺言書等複製、死後代行登録、ネット資産の情報を、その具体例を用いてさらに説明する。
【００４６】
遺言明細目録の情報の例を、図４に示す。この図４の例においては、認証確認作業により認識された遺言者識別子と遺言者氏名に対応して、遺言者２Ａにより登録された預貯金、不動産、ゴルフ会員権についての詳細内容が、遺言登録サーバ１に遺言明細目録情報として記憶保持されている。なお、図４では、図示を省略したが、遺言明細目録のそれぞれに対しては、それが何時、登録または更新されたかを示すための日時情報が対応付けられて併せて登録される。この日時情報の登録は、遺言登録サーバ１側で自動的になされる。
【００４７】
登録されている遺言明細目録情報に、情報を追加したり削除したりする更新要求が発生した場合には、その都度、遺言者２Ａは、遺言登録サーバ１にアクセスして、遺言明細目録情報を更新するようにする。遺言登録サーバ１は、この遺言明細目録情報の更新要求を受け付けると、格納している遺言明細目録情報を更新し、その更新日時情報を記録するようにする。
【００４８】
なお、図４にも示したように、遺言者２Ａは、登録した遺言明細目録情報のそれぞれについては、参照者４Ａによる参照を許可するか否かの参照可否情報を登録することができる。遺言登録サーバ１は、この参照可否情報に基づいて、遺言明細目録情報のうちから参照可とされているもののみを参照者４Ａに呈示するようにする。
【００４９】
次に、遺言者２Ａは、遺言書、遺言明細目録に記載されている不動産の登記書、ゴルフ会員証などをスキャンした実イメージデータを、遺言書等複製の情報として、遺言登録サーバ１に登録することができる。この遺言書等複製の情報を遺言登録サーバ１に登録する方法としては、いつかの方法がある。
【００５０】
その第１の方法は、遺言者２Ａが、遺言書、不動産の登記書、ゴルフ会員証などを自分でスキャンしてイメージデータを生成する。そして、遺言者２Ａは、遺言登録サーバ１に、本人用ＩＤおよびパスワードを用いてアクセスして通信路を確立し、そのイメージデータを遺言登録サーバ１に当該通信路を通じて送信して登録する方法である。
【００５１】
第２の方法は、遺言者２Ａは、遺言書、不動産の登記書、ゴルフ会員証などの複製（コピー）を作成し、その複製物を、遺言登録サーバ１を運営する遺言登録サイトの管理業者に郵送やファクシミリ送信する方法である。また、遺言者２Ａが自分でスキャンして生成した前記遺言書、不動産の登記書、ゴルフ会員証などのイメージデータを、メールに添付して遺言登録サーバ１に対して送信するようにしても良い。
【００５２】
遺言登録サーバ１は、遺言者２Ａから前記遺言書、不動産の登記書、ゴルフ会員証などのイメージデータを受け取ったときには、そのイメージデータを暗号化するなど、改竄不可能な形態に変換した後、格納部に、遺言者２Ａの遺言者識別子に対応付けて保存するようにする。また、遺言登録サーバ１は、遺言者２Ａから前記遺言書、不動産の登記書、ゴルフ会員証などの複製物を取得したときには、その複製物をスキャンしてイメージデータに変換した後、そのイメージデータを暗号化するなど、改竄不可能な形態に変換した後、格納部に、遺言者２Ａの遺言者識別子に対応付けて保存するようにする。
【００５３】
なお、遺言者２Ａは、この登録した遺言書等複製の情報のそれぞれについても、参照者４Ａによる参照を許可するか否かの参照可否情報を登録することができる。遺言登録サーバ１は、この参照可否情報に基づいて、遺言書等複製の情報のうちから参照可とされているもののみを参照者４Ａに呈示するようにする。
【００５４】
次に、遺言登録サーバ１に格納される死後代行登録情報の例を図５に示す。この死後代行登録情報は、遺言者２Ａが、自分の死後に遺族などにやってもらいたいこと、および自分の死後に遺族などに通知したいことなどからなる。そして、この実施形態では、遺言者２Ａが自分の死後にやってもらいたいことは、遺族に代わって、遺言登録サーバ１を管理する遺言登録サイトに代行依頼することができるようにしている。
【００５５】
死後代行登録に当たっては、遺言者２Ａは、図６に示すように、遺言登録サーバ１に、本人装置２を通じて、本人用ＩＤおよびパスワードを用いたアクセスをする。遺言登録サーバ１は、遺言者２Ａからのアクセスについて、前述したように、本人用ＩＤおよびパスワードを用いて認証確認作業を行い、認証確認できたときには通信路を確立すると共に、遺言者識別子および遺言者氏名を、遺言者登録情報から認識する。
【００５６】
そして、遺言登録サーバ１は、遺言者２Ａにより登録要求されて送られてきた死後代行登録情報を、図５の例に示すように、認証確認作業により認識した遺言者識別子と遺言者氏名に対応付けて記憶保持する。
【００５７】
図５の例では、登録情報毎に、遺族に通知するだけか遺言登録サイトに代行依頼するのかの代行種別を、遺言者２Ａが登録可能とされている。また、登録情報毎に、遺言者の生存中に遺言者以外の者に参照させるのを許可するか否かを、参照可否の情報として、遺言者２Ａが登録可能とされている。
【００５８】
図５の例においては、葬儀に関する情報、遺言者２Ａが死亡したことの連絡先情報、各種保険証書番号および各証書の所在情報、預貯金口座番号および通帳所在情報、伝言メッセージが、死後代行登録情報として登録されて保持されている。そして、それら登録された情報のうち、葬儀に関する情報と、預貯金口座番号および通帳所在情報とは、遺族に通知のみが要求されている。
【００５９】
また、遺言者２Ａが死亡したことの連絡先情報に関しては、遺族に通知すると共に、登録された連絡先に対しての死亡通知の送付を遺言登録サイトに代行依頼しているものとなっている。また、各種保険証書番号および各証書の所在情報に関しても、遺族に通知すると共に、保険会社への保険加入者の死亡通知を遺言登録サイトに代行依頼しているものとなっている。
【００６０】
さらに、伝言メッセージは、遺族や、生前に親交のあった知人に伝えたいメッセージを、その伝えたい相手の情報と共に登録しておくものである。図５の例では、この伝言メッセージは、遺族には通知せずに、伝言メッセージの登録相手への送付を遺言者２Ａが代行依頼しているものとなっている。なお、伝言メッセージの内容は、メッセージデータを直接に登録するようにしてもよいが、図５の例は、当該伝言メッセージが格納されたファイル名とその保存先の情報が登録されている。その場合には、遺言登録サーバ１は、伝言メッセージをその保存先から読み出して、遺族や友人など、指定された相手に通知する。伝言メッセージのデータは、テキスト文字列のデータであっても良いし、音声メッセージのデータであってもよい。また、静止画像や動画を伴うものであっても良い。
【００６１】
さらに、図５の例では、登録情報のうち、各種保険証書番号および各証書の所在情報、預貯金口座番号および通帳所在情報、伝言メッセージは、遺言者２Ａの生存中は、参照者４Ａにより参照ができないものと指定されている。
【００６２】
なお、死後代行登録情報としては、上述の例のほか、
・遺言書の所在または受け取り方の情報、
・不動産登記書などの情報、
・加入サービス情報（死亡により停止したり、名義変更が必要となったりするもの）
・慈善事業などへ定期的に寄付していたりすれば、その情報
・廃棄処分して欲しいものの情報
・形見分け情報
・骨董品など自分だけが価値の分かるものの情報
・家宝として残してもらいたいもの情報
・知人に貸し出ししているもの、借りているもの、借金、貸し金情報
・ヘソクリの隠し場所情報
・年賀状を受け取っていた、送っていた先の情報
・信頼できる親族とそうでない人の情報
・常連だった店とキープボトルの情報
などを登録することができる。
【００６３】
また、上述の登録情報は、伝言メッセージに限らず、テキスト文字情報のみではなく、画像や音声、動画の登録も可能とする。
【００６４】
この実施形態では、このように死後代行登録情報を遺言登録サーバ１に登録しておくことにより、葬儀などについて、故人の意志を容易に反映されることができる。また、故人の遺品の整理などについても、故人の意志に応じた処分ができ、遺族が判断を迷うことを回避できる。
【００６５】
次に、遺言登録サーバ１に格納されるネット資産の情報の例を図７に示す。ここで、ネット資産とは、インターネットなどのネットワーク上のサイトに蓄積された家族の写真、動画、住所録データなどにアクセスするためのＩＤやパスワード、また、サイトのサービスを受けるあるいはサービスを提供するためのＩＤやパスワードである。また、シェアウエアなどもネット資産に該当する。
【００６６】
この実施形態では、ネット資産を登録することができるようにすることで、ネット銀行、ストレージ、ネット保険、カードポイント参照、各種利用明細参照、ネット通販ポイント、ネットゲームポイントなど、ＩＤやパスワードが相続されなければ、ネット上のガベッジとなってしまうのを防止するようにしている。
【００６７】
ネット資産の登録に当たっては、遺言者２Ａは、図８に示すように、遺言登録サーバ１に、本人装置２を通じて、本人用ＩＤおよびパスワードを用いたアクセスをする。遺言登録サーバ１は、遺言者２Ａからのアクセスについて、前述したように、本人用ＩＤおよびパスワードを用いて認証確認作業を行い、認証確認できたときには通信路を確立すると共に、遺言者識別子および遺言者氏名を、遺言者登録情報から認識する。
【００６８】
そして、遺言登録サーバ１は、遺言者２Ａにより登録要求されて送られてきたネット資産の登録情報を、図７の例に示すように、認証確認作業により認識した遺言者識別子と遺言者氏名に対応付けて記憶保持する。
【００６９】
図７の例では、ネット資産の情報は、そのサービス名またはサービスサイト名、ＵＲＬ、ＩＤおよびパスワード、また、その資産内容が何であるかが登録されている。また、図７の例においては、それぞれのネット資産が相続可能であるか否かの相続可否の情報と、相続可能である場合には、その相続人の情報が登録可能とされている。
【００７０】
ネット資産が相続可能であるか否かの相続可否の情報は、遺言登録サーバ１が、登録要求されたネット資産が相続可能であるか否かを、当該ネット資産運用会社規約などから判断して判定し、その判定結果を登録するものである。このため、この実施形態では、遺言登録サーバ１は、図８に示すように、ネットワーク５上に存在しているネット資産が相続可能であるか否かの情報を格納しているネット資産相続可否データベース１１を備えている。
【００７１】
すなわち、この実施形態の遺言登録サーバ１は、予め、ネットワーク５を通じて、ネット資産の運用に関わるネット資産運用会社８にアクセスして、そのネット資産が相続可能であるか否かを判定する。そして、遺言登録サーバ１は、その相続可否の判定結果を、それぞれのネット資産のサービス名やサービスサイト名と対応して、ネット資産相続可否データベース１１に格納しておく。遺言登録サーバ１は、ネット資産相続可否データを、ネットワーク５を通じて適宜更新することで、ネット資産相続可否データベース１１には、常に最新のネット資産についてのデータベースを構築しておくようにしている。
【００７２】
そして、遺言登録サーバ１は、図８に示すように、遺言者２Ａから本人装置２を通じてネット資産の登録要求があると、ネット資産相続可否データベース１１を参照することにより、そのネット資産が相続可能であるか否かを判断する。そして、遺言登録サーバ１は、その判断結果の相続可否を遺言者２Ａに本人装置２を通じて通知する。
【００７３】
遺言登録サーバ１は、登録要求を受けたネット資産の相続が可能であると判断したときには、図７に示すように、相続可否の情報として、相続「可」を格納すると共に、当該ネット資産の相続可能通知と共に、相続人登録が可能であることを本人装置２を通じて遺言者２Ａに知らせる。遺言者２Ａが、この相続人登録を行うと、遺言登録サーバ１は、受け付けた相続人登録情報をネット資産登録情報の一つとして遺言者識別子に対応付けて格納する。
【００７４】
このネット資産の相続人登録情報には、相続人の氏名、遺言者２Ａに対する続き柄などのほか、相続人の住所やメールアドレスなどの連絡先が含まれる。この連絡先情報は、後述するように、遺言者の死後に、指定された相続人が当該ネット資産を相続するか否かを問い合わせる際に用いられる。なお、ネット資産の相続人登録は必須ではなく、遺族が相続するか否かを遺言登録サーバからの問い合わせに応じて決めることもできる。
【００７５】
また、遺言登録サーバ１において、登録要求を受けたネット資産の相続が不可であると判断したときには、本人装置２を通じて遺言者２Ａに対して、遺言登録サーバ１が自動退会手続を代行することに同意するかどうかを問い合わせる。遺言者２Ａが、自動退会手続代行に同意する旨を、本人装置２を通じて回答したときには、遺言登録サーバ１は、当該登録要求されたネット資産の登録情報を、相続可否については不可として、遺言者識別子に対応して格納する。
【００７６】
また、遺言者２Ａが自動退会手続に同意しない旨を、本人装置２を通じて回答したときには、遺言登録サーバ１は、当該登録要求されたネット資産の登録情報は、受け付けられない旨を遺言者２Ａに、本人装置２を通じて通知し、当該ネット資産の登録を拒否するようにする。
【００７７】
この実施形態では、このようにネット資産を遺言登録サーバ１に登録しておくことにより、クラウドに置かれた家族の写真や住所録などのデータを遺族が相続することができる。また、遺族が知らないサイト利用料の自動引き落としが行われている際に、利用停止が可能となる。また、ネット上の各種ポイントを遺族が継続して利用もしくは換金することができる。さらに、故人の意志を継いでハンドル名を相続して、情報発信を継続することも可能となる。
【００７８】
＜遺言者の死後における遺言登録項目へのアクセス＞
遺言者２Ａが死亡した場合、図２に示したような遺言書６が相続人３Ａに管理者７から渡される。相続人３Ａは、遺言書６の内容に基づき、遺言登録サーバ１を運営管理する運営会社に対して、遺言者２Ａの死亡を証明する書面である死亡届、死亡診断書、埋葬証明書のうちのいずれかの写しを、例えば郵送で送る。
【００７９】
この遺言者２Ａの死亡を証明する書面を受けた遺言登録サーバ１の運営会社のオペレータは、当該書面をイメージスキャナでスキャンして、イメージデータに変換して、遺言登録サーバ１に入力するようにする。すると、遺言登録サーバ１は、イメージデータから遺言者２Ａを特定するための情報、すなわち、氏名、生年月日、住所などを画像認識して抽出し、遺言者登録情報に登録されている各遺言者のそれらの情報と比較対照する。そして、遺言登録サーバ１は、その比較対照により、死亡を証明する書面により死亡が証明される遺言者を、遺言者登録情報の中から判定する。そして、その死亡が証明された遺言者の遺言者登録情報に、死亡を登録する。
【００８０】
さらに、遺言登録サーバ１は、死亡と判定した遺言者の遺言者識別子に対応付けられて登録されている登録可能項目に対して相続人がアクセスするためのＵＲＬを判定し、その判定したＵＲＬを書面にプリントアウトする。そして、遺言登録サーバ１の運営会社の担当者は、この遺言者の登録可能項目に対して相続人がアクセスするためのＵＲＬの情報を、相続人３Ａに対して、例えば郵送により通知する。
【００８１】
こうして、相続人３Ａは、遺言者２Ａが遺言登録サーバ１に登録した残した遺言および遺言に関連する情報に対してアクセスするためのＵＲＬを取得することができる。
【００８２】
以上は、遺言者の死亡を証明する書面を遺言登録サーバ１側に、郵送により送ると共に、死亡した遺言者が残した遺言および遺言に関連する情報に対してアクセスするためのＵＲＬを、郵送により受信するようにした場合である。しかし、遺言登録サーバ１側の電子メールアドレスが分かっている場合には、相続人３Ａは、遺言者２Ａの死亡を証明する書面をスキャナでスキャンして、イメージデータに変換し、その変換したイメージデータを、電子メールに添付して遺言登録サーバ１の運営会社に送ることもできる。そして、その場合には、遺言登録サーバ１側も、上述のようにして、判定して得たＵＲＬを、当該電子メールの返信として、相続人に通知することができる。
【００８３】
以上のようにして、遺言者２Ａが遺言登録サーバ１に登録して残した遺言および遺言に関連する情報に対してアクセスするためのＵＲＬを取得した相続人３Ａは、遺言者２Ａによって設定された相続人用のＩＤおよびパスワードを、管理者７から取得し、その取得したＩＤおよびパスワードを用いて遺言登録サーバ１にアクセスする。
【００８４】
遺言登録サーバ１は、この相続人３Ａからのアクセスを受けると、その相続人用ＩＤおよびパスワードと、遺言者登録情報に予め登録されている相続人用ＩＤおよびパスワードとの照合により認証を行う。そして、遺言者登録情報の中に、一致する相続人用ＩＤおよびパスワードがあると判別したときには、遺言登録サーバ１は、当該一致した相続人用ＩＤおよびパスワードに対応する遺言者識別子を判定する。
【００８５】
そして、遺言登録サーバ１は、判定した遺言者識別子に対応して登録されている遺言者登録情報を参照し、死亡が登録されているか否か判別する。死亡が登録されていなければ、当該相続人のアクセスは不正アクセスであるので、遺言登録サーバ１は、相続人装置３からのアクセスを拒絶する。また、死亡が登録されていれば、当該相続人のアクセスは正当なアクセスであるので、遺言登録サーバ１は、当該相続人に、遺言者により登録された情報を呈示するようにする。
【００８６】
この場合に、死後代行登録情報について、遺言者２Ａにより「代行種別」として「通知および代行」が登録されている場合には、図６に示すように、遺言登録サーバ１の運営会社の側で、遺言者２Ａにより指定された代行手続を実行する。そこで、遺言登録サーバ１は、遺言者２Ａにより「代行種別」として「通知および代行」が登録されている情報については、相続人３Ａには、登録されている死後代行登録情報を呈示すると共に、代行手続が実行されるか否かの代行手続情報を呈示する。また、遺言登録サーバ１は、代行手続が既に済んでいるときには、代行手続済を、相続人３Ａに呈示するようにしても良い。
【００８７】
また、遺言登録サーバ１の運営会社は、遺言者２Ａの死亡を判定すると、相続不可とされているネット資産については、図８に示すように、自動退会手続を実行する。そして、遺言登録サーバ１は、相続不可とされているネット資産については、自動退会手続を実行する、あるいは実行した旨の通知を伴って、相続人３Ａに呈示する。
【００８８】
また、相続可能であって相続人が登録されているネット資産については、遺言登録サーバ１のオペレータは、当該登録されている相続人に対して、登録されているネット資産を相続するか否かの問い合わせをする。そして、相続を受けるという回答が得られたときには、遺言登録サーバ１は、代行手続を要求するか否かを問い合わせる。そして、代行手続を要求するとの回答が得られたときには、遺言登録サーバ１のオペレータは、当該ネット資産についてのＩＤおよびパスワードを、相続人に移転する手続を代行する。また、相続を受けないという回答が得られたときには、遺言登録サーバ１は、代行手続を要求するか否かを問い合わせる。そして、代行手続を要求するとの回答が得られたときには、遺言登録サーバ１のオペレータは、自動退会手続を代行するようにする。
【００８９】
また、相続可能であって相続人が登録されているネット資産については、遺言登録サーバ１のオペレータは、遺言者２Ａの死亡を証明する書面を送ってきた相続人３Ａに、登録されているネット資産が相続可能であることを通知する。そして、相続人が定められた場合には、遺言登録サーバ１側で、そのネット資産の相続手続の代行が可能であると共に、相続人が定められずに放棄される場合には、遺言登録サーバ１側で、自動退会手続を代行することが可能である旨を伝えるようにする。そして、その後は、遺言登録サーバ１側は、相続人の依頼通りの手続を行う。
【００９０】
＜遺言者の生存中の参照者の参照のアクセス＞
この実施形態では、遺言者２Ａが設定登録した参照者用ＩＤおよびパスワードを伴って遺言登録サーバ１にアクセスした参照者のみが、遺言者２Ａが登録した遺言および遺言に関連する情報を参照することができる。したがって、遺言者２Ａから直接的に参照者用ＩＤおよびパスワードを知らされた者、また、遺言者２Ａの依頼を受けて参照者用ＩＤおよびパスワードを知らされた者のみが、参照者４Ａとして、遺言登録サーバ１にアクセスして、登録情報を参照することができる。
【００９１】
ただし、この実施形態では、前述したように、遺言明細目録や死後代行登録情報などに参照不可とされている登録情報については、アクセスを認証された参照者４Ａであっても参照することができない。
【００９２】
なお、遺言者２Ａの生存中は、参照ができるものも含めて、遺言者２Ａ以外の者による遺言明細目録や死後代行登録情報などへのアクセスがあったら、遺言者２Ａに、参照があった旨のメールが届くように構成することで、勝手に身内が登録情報にアクセスしないようにすることができる。
【００９３】
また、例えば、参照者用ＩＤおよびパスワードを遺言者２Ａから通知された参照者４Ａが遺言登録サーバ１にアクセスしたとき、当該遺言者２Ａの親族などでなければ知らない事項を、秘密の質問にして参照者にリマインドし、当該質問に正答した者のみに参照を許可することにより、セキュリティのレベルを高めることもできる。
【００９４】
また、遺言者登録情報、遺言明細目録、遺言書等複製情報、死後代行登録情報、ネット資産などの登録可能項目毎に、セキュリティレベルを設定するようにすることもできる。すなわち、セキュリティレベルが高い遺言明細目録や遺言書等複製情報については、予め、遺言者がパスワードを定めて、それを登録情報に含めておくようにする。そして、遺言者は、セキュリティの高い登録可能項目についても参照を許可する参照者に対しては、その登録してあるパスワードをも、伝えるようにする。
【００９５】
これにより、参照者による参照要求に対して、登録可能項目毎に、セキュリティレベルを設定しておくことできる。なお、登録可能項目毎に限らず、一つの登録可能項目内の登録データについても、同様にして、セキュリティレベルを設定しておき、よりセキュリティレベルが高い登録データについては、予め定めたパスワードにより参照許可するように構成することもできる。
【００９６】
＜遺言登録サーバ１のハードウエア構成例＞
図９は、この実施形態における遺言登録サーバ１のハードウエア構成例を示すブロック図である。この例では、遺言登録サーバ１は、パソコンにより構成されており、システムバス１００に対してＣＰＵ（Central  Processing  Unit）１０１と、プログラム等を格納するＲＯＭ（Read  Only  Memory）１０２と、ワークエリアとして働くＲＡＭ（Random  Access  Memory）１０３とが接続されている。
【００９７】
また、この例では、システムバス１００には、遺言者登録情報格納部１０４、遺言明細目録格納部１０５、死後代行登録情報格納部１０６、ネット資産格納部１０７、が接続されている。さらに、システムバス１００には、通信インターフェース１０８、受信信号処理部１０９、送信信号生成部１１０、認証処理部１１１、画像認識部１１２、スキャナ１１３、プリンタ１１４、が接続されている。さらに、また、システムバス１００には、前述したネット資産相続可否データベース１１が接続されている。
【００９８】
ＣＰＵ１０１は、この遺言登録サーバ１の全体の動作を制御するものである。ＲＯＭ１０２には、この遺言登録サーバ１における各種制御処理を実行するためのプログラムが記憶されている。ＣＰＵ１０１は、ＲＡＭ１０３をワークエリア用のメモリとして用いて、このＲＯＭ１０２のプログラムにしたがった制御処理を実行する。
【００９９】
遺言者登録情報格納部１０４は、遺言者２Ａのそれぞれにより登録される、前述の図２に例示した遺言者登録情報を記憶保持するメモリ部である。
【０１００】
遺言明細目録格納部１０５は、遺言者２Ａのそれぞれにより登録される、前述の図４に例示した遺言明細目録情報を記憶保持するメモリ部である。この例では、この遺言明細目録情報格納部１０５には、遺言書や登記書などの複製データも記憶保持される。
【０１０１】
死後代行登録情報格納部１０６は、遺言者２Ａのそれぞれにより登録される、前述の図５に例示した死後代行登録情報を記憶保持するメモリ部である。
【０１０２】
また、ネット資産格納部１０７は、遺言者２Ａのそれぞれにより登録される、前述の図７に例示した死後代行登録情報を記憶保持するメモリ部である。
【０１０３】
通信インターフェース１０８は、ネットワーク５と接続して、遺言登録サーバ１と、本人装置２、相続人装置３、参照者装置４との間で通信を行うためのものである。通信インターフェース１０８は、本人装置２や相続人装置３や参照者装置４から送られてくる受信信号は、受信信号処理部１０９に送る。また、通信インターフェース１０８は、後述するように送信信号生成部１１０で生成された情報信号を、通信相手に送信する。
【０１０４】
受信信号処理部１０９は、通信インターフェース１０８から受けた受信信号を解析し、遺言者２Ａ、相続人３Ａ、または、参照者４Ａのいずれからの受信信号であるかを判定すると共に、ＩＤやパスワードなどの認証用の情報は認証処理部１１１に送る。また、受信信号処理部１０９は、通信インターフェース１０８から受けた受信信号が、遺言者登録情報、遺言明細目録、死後代行登録情報、ネット資産の登録情報であるときには、それの情報をそれぞれ対応する格納部１０４，１０５，１０６，１０７に送って、ＣＰＵ１０１の制御に従って記憶保持させるようにする。
【０１０５】
また、受信信号処理部１０９は、通信インターフェース１０８から受けた受信信号が、遺言明細目録、遺言書等複製情報、死後代行登録情報、ネット資産の登録情報に対する相続人または参照者の参照要求であるときには、システムバス１００に、その参照要求を出力する。ＣＰＵ１０１は、この参照要求に基づいて、遺言明細目録、遺言書等複製情報、死後代行登録情報、ネット資産の登録情報のうち、参照可能な情報を読み出して、参照要求側に提供するようにする。
【０１０６】
認証処理部１１１は、受信信号処理部１０９から受けたアクセス時のＩＤおよびパスワードと、遺言者２Ａ、相続人３Ａ、または、参照者４Ａについて遺言者登録情報格納部１０４に登録されて格納されているＩＤおよびパスワードとを比較参照して、認証確認処理を行う。そして、認証処理部１１１は、認証確認結果を、通信インターフェース１０８を通じてアクセス者に対して通知するようにする。
【０１０７】
送信信号生成部１１０は、当該遺言登録サーバ１に対するアクセス者に送信する情報を、ＣＰＵ１０１の制御にしたがって生成し、通信インターフェース１０８を通じてアクセス者に送信するようにする。
【０１０８】
画像認識部１１２は、スキャナ１１３で取り込まれた死亡届などの遺言者の死亡を証明する書面のイメージデータを画像認識し、当該書面から遺言者の氏名、住所、生年月日を抽出する。そして、画像認識部１１２は、遺言者登録情報格納部１０４に登録されている各遺言者の氏名、住所、生年月日と、画像認識により抽出した氏名、住所、生年月日とを比較参照する。そして、遺言者登録情報格納部１０４に登録されている各遺言者の氏名、住所、生年月日の中に、画像認識により抽出した氏名、住所、生年月日と一致したものがあったときには、その遺言者が死亡したことを認定し、その遺言者識別子をシステムバス１００に出力する。
【０１０９】
ＣＰＵ１０１は、この画像認識部１１２からの死亡した遺言者の遺言者識別子を受けると、遺言者登録情報格納部１０４のその遺言者識別子に対応する遺言者登録情報に、当該遺言者の死亡を登録すると共に、相続人に通知するＵＲＬを生成して、プリンタ１１４から出力するようにする。
【０１１０】
なお、通信インターフェース１０８を通じて、電子メールの添付情報として、遺言者の死亡を証明する書面のイメージデータを受け取ったときには、そのイメージデータは画像認識部１１２に送られる。そして、画像認識部１１２は、この受け取ったイメージデータについても、スキャナ１１３からのイメージデータと同様に処理して、死亡した遺言者の遺言者識別子を出力する。
【０１１１】
このときには、ＣＰＵ１０１は、この画像認識部１１２からの死亡した遺言者の遺言者識別子を受けると、遺言者登録情報格納部１０４のその遺言者識別子に対応する遺言者登録情報に、当該遺言者の死亡を登録すると共に、相続人に通知するＵＲＬを生成して、電子メールの返信として、相続人宛に送る。
【０１１２】
ネット資産相続可否データベース１１は、前述した通り、それぞれのネット資産が相続可能であるかを蓄積したものである。ネット資産の登録情報がアクセス者側から送られてきたとき、ＣＰＵ１０１は、ネット資産相続可否データベース１１を参照して、その送られてきたネット資産が相続可能であるか否か判別する。そして、ＣＰＵ１０１は、その判別結果に応じて、前述したようなネット資産について登録処理を実行する。
【０１１３】
なお、図９の遺言登録サーバ１の構成において、受信信号処理部１０９、送信信号生成部１１０、認証処理部１１１、画像認識部１１２のそれぞれの処理機能は、ＣＰＵ１０１が、ＲＯＭ１０２のソフトウエアプログラムにしたがってＲＡＭ１０３をワークエリアとして用いて実行するソフトウエア機能として構成することもできる。
【０１１４】
［遺言登録サーバ１の具体的処理動作例］
＜遺言登録サーバ１におけるアクセス受信処理例＞
図１０〜図１９は、遺言登録サーバ１が、本人装置２、相続人装置３または参照者装置４からのアクセスを受信した場合の処理動作例を説明するためのフローチャートである。なお、以下の説明においては、図９に示した遺言登録サーバ１の構成における受信信号処理部１０９、送信信号生成部１１０、認証処理部１１１、画像認識部１１２のそれぞれの処理機能は、ＣＰＵ１０１が、ＲＯＭ１０２のソフトウエアプログラムによりソフトウエア機能として実行する場合としている。
【０１１５】
ＣＰＵ１０１は、ネットワーク５を通じたアクセスの到来を待ち（ステップＳ１０１）、アクセスを受信したと判別したときには、アクセス者は、遺言者本人、相続人、参照者のいずれであるかの問い合わせページを、アクセス者装置に送信する（ステップＳ１０２）。
【０１１６】
この問い合わせに対しては、アクセス者装置からは、アクセス者が、遺言者本人、相続人、参照者のいずれであるかの応答が送られてくる。ＣＰＵ１０１は、このアクセス者装置からの応答を解析して、先ず、アクセス者は遺言者本人であるか否か判別し（ステップＳ１０３）、アクセス者が遺言者本人であれば、遺言者本人の認証用ページを、アクセス者装置（ここでは、本人装置２）に送信する（ステップＳ１０４）。
【０１１７】
この遺言者本人の認証用ページを受け取ったアクセス者が遺言者本人である場合は、認証用として本人用ＩＤおよびパスワードを送信してくる。また、アクセス者が遺言者本人ではなく、ステップＳ１０２での問い合わせに対する応答を誤った場合には、アクセス者は、この認証用ページにある「戻る」アイコンを押下する。さらに、アクセス者が、認証用の本人用ＩＤおよびパスワードを知らない、あるいは忘れたなどの理由で、アクセスを断念する場合には、アクセス者は、この認証用ページにある「キャンセル」アイコンを押下する。アクセス者が、それらを押下操作すると、アクセス者装置は、それぞれ「戻る」要求、「キャンセル」要求を、遺言登録サーバ１に送信する。
【０１１８】
なお、後述する相続人の認証用ページや参照者の認証用ページにも、同様の処理目的のために、「戻る」アイコンおよび「キャンセル」アイコンが表示されている。
【０１１９】
そこで、ＣＰＵ１０１は、先ず、認証用のＩＤおよびパスワードを受信したか否か判別し（ステップＳ１０５）、ＩＤおよびパスワードを受信してはいないと判別したときには、アクセス者から「戻る」要求を受信したか否か判別する（ステップＳ１０６）。
【０１２０】
このステップＳ１０６で、「戻る」要求を受信したと判別したときには、ＣＰＵ１０１は、処理をステップＳ１０２に戻し、アクセス者の問い合わせページをアクセス者装置に送信して、このステップＳ１０２以降の処理を繰り返す。また、ステップＳ１０６で、「戻る」要求を受信してはいないと判別したときには、ＣＰＵ１０１は、アクセス者から「キャンセル」要求を受信したか否か判別する（ステップＳ１０７）。
【０１２１】
このステップＳ１０７で、「キャンセル」要求を受信してはいないと判別したときには、ＣＰＵ１０１は、処理をステップＳ１０５に戻し、このステップＳ１０５以降の処理を繰り返す。また、ステップＳ１０７で、「キャンセル」要求を受信したと判別したときには、ＣＰＵ１０１は、アクセスをキャンセル処理して（ステップＳ１０８）、この処理ルーチンを終了する。
【０１２２】
また、ステップＳ１０５で、アクセス者からＩＤおよびパスワードを受信したと判別したときには、ＣＰＵ１０１は、遺言者登録情報格納部１０４に格納されている遺言者登録情報を参照して、受信したＩＤおよびパスワードと一致する遺言者の本人用ＩＤおよびパスワードがあるか否かにより、受信したＩＤおよびパスワードの認証確認をする（ステップＳ１０９）。
【０１２３】
このステップＳ１０９で、遺言者登録情報中に、受信したＩＤおよびパスワードと一致する遺言者の本人用ＩＤおよびパスワードがなく、認証確認が取れないと判別したときには、ＣＰＵ１０１は、エラー表示をアクセス者装置に送信する（ステップＳ１１０）。
【０１２４】
また、ステップＳ１０９で、遺言者登録情報中に、受信したＩＤおよびパスワードと一致する遺言者の本人用ＩＤおよびパスワードがあり、認証確認が取れたと判別したときは、ＣＰＵ１０１は、アクセス者装置との間に通信路を確立する（ステップＳ１１１）。このとき、ＣＰＵ１０１は、受信したＩＤおよびパスワードと一致する遺言者の本人用ＩＤおよびパスワードに対応する遺言者識別子をも認識する。
【０１２５】
次に、ＣＰＵ１０１は、遺言者本人が登録または更新することができるメニューの一覧ページ（遺言登録／更新一覧メニューページ）を、アクセス者装置に送信する（ステップＳ１１２）。
【０１２６】
この遺言登録／更新一覧メニューページには、遺言者登録情報、遺言明細目録、死後代行登録情報、ネット資産の各登録可能項目が記述されており、アクセス者（遺言者）は、そのうちのいずれかを選択入力する。すると、アクセス者装置からは、当該アクセス者により、いずれの登録可能項目の登録または更新が選択されたかの選択指定情報が送られてくる。
【０１２７】
そこで、ＣＰＵ１０１は、先ず、アクセス者装置からの選択指定情報を解析して、アクセス者により、遺言者登録情報の登録／更新が選択されたか否か判別する（図１１のステップＳ１２１）。このステップＳ１２１で、遺言者登録情報の登録／更新が選択されたと判別したときには、ＣＰＵ１０１は、当該遺言者登録情報の登録／更新用ページをアクセス者装置に送信する（ステップＳ１２２）。
【０１２８】
この遺言者登録情報の登録／更新用ページは、遺言者を特定するために必要な事項や、遺言登録サーバ１が登録要求する事項など、遺言者に登録してもらいたい事項欄が、例えば表形式で予め記述されたものである。遺言者が、それぞれの事項欄を埋めて、遺言登録サーバ１に返信することにより、必要登録情報が登録される。そして、更新時には、遺言者は、変更が必要な事項欄に、変更事項を上書きして入力する。
【０１２９】
なお、この遺言者登録情報の登録／更新用ページには、「戻る」アイコンと、「終了」アイコンとが設けられており、遺言者がそれらを押下操作すると、アクセス者装置は、それぞれ「戻る」要求、「終了」要求を、遺言登録サーバ１に送信する。また、後述する遺言明細目録の登録／更新用ページ、死後代行登録情報の登録／更新用ページ、ネット資産の情報の登録／更新用ページなどにも、同様の「戻る」アイコンと、「終了」アイコンとが設けられている。
【０１３０】
ＣＰＵ１０１は、アクセス者装置からの必要な登録事項が遺言者により入力された遺言者登録情報の受信を監視する（ステップＳ１２３）。このステップＳ１２３で、遺言書登録情報を受信してはいないと判別したときには、ＣＰＵ１０１は、アクセス者から「戻る」要求を受信したか否か判別する（ステップＳ１２４）。
【０１３１】
このステップＳ１２４で、「戻る」要求を受信したと判別したときには、ＣＰＵ１０１は、処理をステップＳ１１２に戻し、遺言登録／更新一覧メニューページをアクセス者装置に送信し、このステップＳ１１２以降の処理を繰り返す。また、ステップＳ１２４で、「戻る」要求を受信してはいないと判別したときには、ＣＰＵ１０１は、アクセス者から「終了」要求を受信したか否か判別する（ステップＳ１２５）。
【０１３２】
このステップＳ１２５で、「終了」要求を受信してはいないと判別したときには、ＣＰＵ１０１は、処理をステップＳ１２３に戻し、このステップＳ１２３以降の処理を繰り返す。また、ステップＳ１２５で、「終了」要求を受信したと判別したときには、ＣＰＵ１０１は、ステップＳ１１１で確立した通信路を切断して（ステップＳ１２６）、この処理ルーチンを終了する。
【０１３３】
また、ステップＳ１２３で、アクセス者から遺言者登録情報を受信したと判別したときには、ＣＰＵ１０１は、ステップＳ１１１で認識した遺言者識別子に対応付けて、受信した遺言者登録情報を、その登録／更新日時情報と共に、遺言者登録情報格納部１０４に格納する（ステップＳ１２７）。その後、ＣＰＵ１０１は、処理をステップＳ１１２に戻し、遺言登録／更新一覧メニューページをアクセス者装置に送信し、このステップＳ１１２以降の処理を繰り返す。
【０１３４】
次に、ステップＳ１２１で、遺言者登録情報の登録／更新は選択されていないと判別したときには、ＣＰＵ１０１は、アクセス者により、遺言明細目録の登録／更新が選択されたか否か判別する（図１２のステップＳ１３１）。このステップＳ１３１で、遺言明細目録の登録／更新が選択されたと判別したときには、ＣＰＵ１０１は、当該遺言明細目録の登録／更新用ページをアクセス者装置に送信する（ステップＳ１３２）。
【０１３５】
この遺言明細目録の登録／更新用ページにおいては、遺言者は、登録したい遺言明細目録を、図４に示したように、項目毎に分けて記述することができる。遺言明細目録の幾つかが既に登録されている場合には、遺言明細目録の登録／更新用ページには、それが記述された状態で送られてくる。遺言明細目録の既述部分についての更新時には、遺言者は、変更が必要な項目に、変更事項を上書きして入力する。また、遺言者は、新たに追加登録したい遺言明細項目を追加記述することができる。そして、以上のような記述をした遺言明細目録の登録／更新用ページを遺言登録サーバ１に返信することで、登録したい遺言明細目録の登録／更新データを遺言登録サーバ１に送信することができる。
【０１３６】
ＣＰＵ１０１は、アクセス者装置からの必要な登録事項が遺言者により入力された遺言明細目録の登録／更新データの受信を監視する（ステップＳ１３３）。このステップＳ１３３で、遺言明細目録の登録／更新データを受信してはいないと判別したときには、ＣＰＵ１０１は、アクセス者から「戻る」要求を受信したか否か判別する（ステップＳ１３４）。
【０１３７】
このステップＳ１３４で、「戻る」要求を受信したと判別したときには、ＣＰＵ１０１は、処理をステップＳ１１２に戻し、遺言登録／更新一覧メニューページをアクセス者装置に送信し、このステップＳ１１２以降の処理を繰り返す。また、ステップＳ１３４で、「戻る」要求を受信してはいないと判別したときには、ＣＰＵ１０１は、アクセス者から「終了」要求を受信したか否か判別する（ステップＳ１３５）。
【０１３８】
このステップＳ１３５で、「終了」要求を受信してはいないと判別したときには、ＣＰＵ１０１は、処理をステップＳ１３３に戻し、このステップＳ１３３以降の処理を繰り返す。また、ステップＳ１３５で、「終了」要求を受信したと判別したときには、ＣＰＵ１０１は、ステップＳ１１１で確立した通信路を切断して（ステップＳ１３６）、この処理ルーチンを終了する。
【０１３９】
また、ステップＳ１３３で、アクセス者から遺言明細目録の登録／更新データを受信したと判別したときには、ＣＰＵ１０１は、ステップＳ１１１で認識した遺言者識別子に対応付けて、受信した遺言明細目録の登録／更新データを、その登録／更新日時情報と共に、遺言明細目録格納部１０５に格納する（ステップＳ１３７）。
【０１４０】
この実施形態においては、遺言明細目録の登録／更新ページには、さらに、遺言書の複製、登記書や権利書の複製など、各種証書の複製をイメージデータとして登録するか否かの問い合わせメッセージが記述され、登録する場合の手順も記述されている。遺言者は、各種証書のイメージデータを登録／更新する場合には、例えばスキャナで読み取ったそれらの証書のイメージデータをアクセス者装置に入力する。すると、遺言明細目録の登録／更新ページが遺言登録サーバ１に送信されるときに、それらのイメージデータが、いずれの書面のイメージデータであるかの情報、また、新規登録であるか、更新であるかの情報と共に、遺言登録サーバ１に併せて送信される。
【０１４１】
そこで、ＣＰＵ１０１は、ステップＳ１３７の次には、各種証書のイメージデータの登録／更新があるか否かを、イメージデータの有無により判別する（ステップＳ１３８）。そして、ステップＳ１３８で、イメージデータが有ると判別したときには、ＣＰＵ１０１は、新規登録であれば、そのイメージデータを、ステップＳ１１１で認識した遺言者識別子に対応付けて、登録日時情報と共に、遺言明細目録格納部１０５の遺言書等複製格納エリアに格納する。また、イメージデータが更新データであるときには、ＣＰＵ１０１は、以前のイメージデータに代えて、更新日時情報と共に、更新後のイメージデータに書き換える（ステップＳ１３９）。
【０１４２】
このステップＳ１３９の次には、ＣＰＵ１０１は、処理をステップＳ１１２に戻し、遺言登録／更新一覧メニューページをアクセス者装置に送信し、このステップＳ１１２以降の処理を繰り返す。また、ステップＳ１３８で、イメージデータは無いと判別したときにも、ＣＰＵ１０１は、処理をステップＳ１１２に戻し、遺言登録／更新一覧メニューページをアクセス者装置に送信し、このステップＳ１１２以降の処理を繰り返す。
【０１４３】
次に、ステップＳ１３１で、遺言明細目録の登録／更新は選択されていないと判別したときには、ＣＰＵ１０１は、アクセス者により、死後代行登録情報の登録／更新が選択されたか否か判別する（図１３のステップＳ１４１）。このステップＳ１４１で、死後代行登録情報の登録／更新が選択されたと判別したときには、ＣＰＵ１０１は、当該死後代行登録情報の登録／更新用ページをアクセス者装置に送信する（ステップＳ１４２）。
【０１４４】
この死後代行登録情報の登録／更新用ページは、遺言者が、予め用意された質問に答えてゆくと、死後代行登録情報の入力が完了するように作成されている。そして、前述したように、登録情報を遺族に伝えたいだけなのか、代行まで希望するかの選択入力が可能とされる。死後代行登録情報の更新時には、死後代行登録情報の登録／更新用ページには、既に登録されて項目については、それが記述された状態で送られてくる。死後代行登録情報の既登録項目についての更新時には、遺言者は、変更が必要な項目に、変更事項を上書きして入力する。また、遺言者は、新たに追加登録したい死後代行登録情報を追加することができる。そして、以上のような入力をした死後代行登録情報の登録／更新用ページを遺言登録サーバ１に返信することで、登録したい死後代行登録情報の登録／更新データを遺言登録サーバ１に送信することができる。
【０１４５】
ＣＰＵ１０１は、アクセス者装置からの必要な登録事項が遺言者により入力された死後代行登録情報の登録／更新データの受信を監視する（ステップＳ１４３）。このステップＳ１４３で、死後代行登録情報の登録／更新データを受信してはいないと判別したときには、ＣＰＵ１０１は、アクセス者から「戻る」要求を受信したか否か判別する（ステップＳ１４４）。
【０１４６】
このステップＳ１４４で、「戻る」要求を受信したと判別したときには、ＣＰＵ１０１は、処理をステップＳ１１２に戻し、遺言登録／更新一覧メニューページをアクセス者装置に送信し、このステップＳ１１２以降の処理を繰り返す。また、ステップＳ１４４で、「戻る」要求を受信してはいないと判別したときには、ＣＰＵ１０１は、アクセス者から「終了」要求を受信したか否か判別する（ステップＳ１４５）。
【０１４７】
このステップＳ１４５で、「終了」要求を受信してはいないと判別したときには、ＣＰＵ１０１は、処理をステップＳ１４３に戻し、このステップＳ１４３以降の処理を繰り返す。また、ステップＳ１４５で、「終了」要求を受信したと判別したときには、ＣＰＵ１０１は、ステップＳ１１１で確立した通信路を切断して（ステップＳ１４６）、この処理ルーチンを終了する。
【０１４８】
また、ステップＳ１４３で、アクセス者から死後代行登録情報の登録／更新データを受信したと判別したときには、ＣＰＵ１０１は、ステップＳ１１１で認識した遺言者識別子に対応付けて、受信した死後代行登録情報の登録／更新データを、その登録／更新日時情報と共に、死後代行登録情報格納部１０６に格納する（ステップＳ１４７）。
【０１４９】
そして、この実施形態においては、ＣＰＵ１０１は、登録／更新された死後代行登録情報について、代行依頼のある死後代行項目を仕分け処理して、その結果を死後代行登録情報格納部１０６に格納する（ステップＳ１４８）。これにより、遺言者の死後、代行すべき項目を容易に見つけ出して、代行手続を速やかに実行することができる。
【０１５０】
このステップＳ１４８の次には、ＣＰＵ１０１は、処理をステップＳ１１２に戻し、遺言登録／更新一覧メニューページをアクセス者装置に送信し、このステップＳ１１２以降の処理を繰り返す。
【０１５１】
次に、ステップＳ１４１で、死後代行登録情報の登録／更新は選択されていないと判別したときには、ＣＰＵ１０１は、アクセス者により、ネット資産の登録／更新が選択されたか否か判別する（図１４のステップＳ１５１）。このステップＳ１５１で、ネット資産の登録／更新が選択されていないと判別したときには、ＣＰＵ１０１は、遺言登録／更新一覧メニューページに設けられている「戻る」アイコンの押下に対応した「戻る」要求を受信したか否か判別する（ステップＳ１５２）。
【０１５２】
このステップＳ１５２で、「戻る」要求を受信したと判別したときには、ＣＰＵ１０１は、処理をステップＳ１０２に戻し、アクセス者は、遺言者本人、相続人、参照者のいずれであるかの問い合わせページを、アクセス者装置に送信し、このステップＳ１０２以降の処理を繰り返す。
【０１５３】
また、ステップＳ１５２で、「戻る」要求を受信してはいないと判別したときには、ＣＰＵ１０１は、アクセス者から「終了」要求を受信したか否か判別する（ステップＳ１５３）。
【０１５４】
このステップＳ１５３で、「終了」要求を受信してはいないと判別したときには、ＣＰＵ１０１は、処理をステップＳ１２１に戻し、このステップＳ１２１以降の処理を繰り返す。また、ステップＳ１５３で、「終了」要求を受信したと判別したときには、ＣＰＵ１０１は、ステップＳ１１１で確立した通信路を切断して（ステップＳ１５４）、この処理ルーチンを終了する。
【０１５５】
ステップＳ１５１で、ネット資産の登録／更新が選択されたと判別したときには、ＣＰＵ１０１は、当該ネット資産の登録／更新用ページをアクセス者装置に送信する（ステップＳ１５５）。
【０１５６】
このネット資産の登録／更新用ページにおいては、遺言者は、登録したしたいネット資産の情報を入力することができる。また、ネット資産の登録／更新用ページには、ステップＳ１１１で認識された遺言者識別子に対応して既に登録されているネット資産の情報が掲載され、その中から削除するネット資産を指示入力することができる。アクセス者装置は、このネット資産の登録／更新用ページにおけるアクセス者である遺言者の入力に応じて、ネット資産の登録データまたは削除データを送信する。
【０１５７】
ＣＰＵ１０１は、アクセス者装置からネット資産の登録データまたは削除データを受信したか否か判別し（ステップＳ１５６）、受信してはいないと判別したときには、アクセス者から「戻る」要求を受信したか否か判別する（ステップＳ１５７）。
【０１５８】
このステップＳ１５７で、「戻る」要求を受信したと判別したときには、ＣＰＵ１０１は、処理をステップＳ１１２に戻し、遺言登録／更新一覧メニューページをアクセス者装置に送信し、このステップＳ１１２以降の処理を繰り返す。また、ステップＳ１５７で、「戻る」要求を受信してはいないと判別したときには、ＣＰＵ１０１は、アクセス者から「終了」要求を受信したか否か判別する（ステップＳ１５８）。
【０１５９】
このステップＳ１５８で、「終了」要求を受信してはいないと判別したときには、ＣＰＵ１０１は、処理をステップＳ１５６に戻し、このステップＳ１５６以降の処理を繰り返す。また、ステップＳ１５８で、「終了」要求を受信したと判別したときには、ＣＰＵ１０１は、ステップＳ１１１で確立した通信路を切断して（ステップＳ１５４）、この処理ルーチンを終了する。
【０１６０】
ステップＳ１５６で、アクセス者装置からネット資産の登録データまたは削除データを受信したと判別したときには、ＣＰＵ１０１は、受信したのはネット資産の削除データであるか否か判別する（ステップＳ１５９）。
【０１６１】
このステップＳ１５９で、受信したのはネット資産の削除データであると判別したときには、ＣＰＵ１０１は、ステップＳ１１１で認識した遺言者識別子に対応付けられて登録されているネット資産の中から受信した削除データに対応するネット資産の情報を削除する（ステップＳ１６０）。その後、ＣＰＵ１０１は、処理をステップＳ１１２に戻し、遺言登録／更新一覧メニューページをアクセス者装置に送信し、このステップＳ１１２以降の処理を繰り返す。
【０１６２】
ステップＳ１５９で受信したのはネット資産の削除データではなく、ネット資産の登録データであると判別したときには、ＣＰＵ１０１は、ネット資産相続可否データベース１１を参照して、登録データを受信したネット資産は譲渡可能であるか否かを判断する（図１５のステップＳ１７１）。
【０１６３】
このステップＳ１７１で、受信したネット資産は譲渡可能ではないと判別したときには、ＣＰＵ１０１は、アクセス者装置に対して、ネット資産は遺贈不能である旨を通知すると共に、遺言者の死後は自動退会手続の代行を希望するか否かの問い合わせページを送信する（ステップＳ１７２）。
【０１６４】
この問い合わせページに対しては、アクセス者装置からは遺言者の死後自動退会手続の代行を希望するか否かの回答が送られてくるので、ＣＰＵ１０１は、その回答を受信して、アクセス者が自動退会代行手続を希望するか否かを判別する（ステップＳ１７３）。
【０１６５】
このステップＳ１７３で、アクセス者が自動退会代行手続を希望すると判別したときには、ＣＰＵ１０１は、ステップＳ１１１で認識した遺言者識別子に対応付けて、受信したネット資産の登録データを、登録日時情報および自動退会代行要求有りと共に、ネット資産格納部１０７に格納する（ステップＳ１７４）。その後、ＣＰＵ１０１は、処理をステップＳ１１２に戻し、遺言登録／更新一覧メニューページをアクセス者装置に送信し、このステップＳ１１２以降の処理を繰り返す。
【０１６６】
また、ステップＳ１７３で、アクセス者が自動退会代行手続を希望しないと判別したときには、ＣＰＵ１０１は、登録要求されたネット資産は登録しない旨を、アクセス者装置に対して通知して、ネット資産の登録データの登録保存を拒否する（ステップＳ１７５）。その後、ＣＰＵ１０１は、処理をステップＳ１１２に戻し、遺言登録／更新一覧メニューページをアクセス者装置に送信し、このステップＳ１１２以降の処理を繰り返す。
【０１６７】
また、ステップＳ１７１で、受信したネット資産は譲渡可能であると判別したときには、ＣＰＵ１０１は、アクセス者装置に対して、ネット資産は遺贈可能である旨を通知すると共に、相続人の指定の問い合わせページを送信する（ステップＳ１７６）。
【０１６８】
アクセス者は、この問い合わせページに対しては、相続人を指定することもできるし、指定しないこともできる。アクセス者装置は、相続人が指定入力された場合には、その相続人の情報を、相続人が指定されなかった場合には、相続人未定の情報を、遺言登録サーバに返信する。なお、この問い合わせページにおいて、相続人が未定となっている登録済みネット資産について、再度の相続人指定を問い合わせるようにしても良い。
【０１６９】
ＣＰＵ１０１は、ステップＳ１７６の問い合わせページに対するアクセス者装置からの回答を受信して、相続人が指定されているか否か判別する（ステップＳ１７７）。このステップＳ１７７で、相続人が指定されていると判別したときには、ＣＰＵ１０１は、ステップＳ１１１で認識した遺言者識別子に対応付けて、受信したネット資産の登録データを、登録日時情報と共に、ネット資産格納部１０７に格納する（ステップＳ１７８）。
【０１７０】
また、ステップＳ１７７で、相続人が未定となっていると判別したときには、ＣＰＵ１０１は、ステップＳ１１１で認識した遺言者識別子に対応付けて、受信したネット資産の登録データを、相続人未定を示す情報および登録日時情報と共に、ネット資産格納部１０７に格納する（ステップＳ１７９）。
【０１７１】
ステップＳ１７８またはステップＳ１７９の次には、ＣＰＵ１０１は、処理をステップＳ１１２に戻し、遺言登録／更新一覧メニューページをアクセス者装置に送信し、このステップＳ１１２以降の処理を繰り返す。
【０１７２】
次に、図１０のステップＳ１０３でアクセス者が遺言者本人ではないと判別したときには、ＣＰＵ１０１は、アクセス者は相続人であるか否か判別する（図１６のステップＳ１８１）。このステップＳ１８１でアクセス者は相続人であると判別したときには、ＣＰＵ１０１は、相続人の認証用ページを、アクセス者装置（ここでは、相続人装置３）に送信する（ステップＳ１８２）。
【０１７３】
この相続人の認証用ページを受け取ったアクセス者が相続人である場合は、認証用として相続人用ＩＤおよびパスワードを送信してくる。また、アクセス者が相続人ではなく、ステップＳ１０２での問い合わせに対する応答を誤った場合には、アクセス者は、この認証用ページにある「戻る」アイコンを押下する。さらに、アクセス者が、認証用の相続人用ＩＤおよびパスワードを知らない、あるいは忘れたなどの理由で、アクセスを断念する場合には、アクセス者は、この認証用ページにある「キャンセル」アイコンを押下する。
【０１７４】
そこで、ＣＰＵ１０１は、先ず、認証用のＩＤおよびパスワードを受信したか否か判別し（ステップＳ１８３）、ＩＤおよびパスワードを受信してはいないと判別したときには、アクセス者から「戻る」要求を受信したか否か判別する（ステップＳ１８４）。
【０１７５】
このステップＳ１８４で、「戻る」要求を受信したと判別したときには、ＣＰＵ１０１は、処理をステップＳ１０２に戻し、アクセス者の問い合わせページをアクセス者装置に送信して、このステップＳ１０２以降の処理を繰り返す。また、ステップＳ１８４で、「戻る」要求を受信してはいないと判別したときには、ＣＰＵ１０１は、アクセス者から「キャンセル」要求を受信したか否か判別する（ステップＳ１８５）。
【０１７６】
このステップＳ１８５で、「キャンセル」要求を受信してはいないと判別したときには、ＣＰＵ１０１は、処理をステップＳ１８３に戻し、このステップＳ１８３以降の処理を繰り返す。また、ステップＳ１８５で、「キャンセル」要求を受信したと判別したときには、ＣＰＵ１０１は、アクセスをキャンセル処理して（ステップＳ１８６）、この処理ルーチンを終了する。
【０１７７】
また、ステップＳ１８３で、アクセス者からＩＤおよびパスワードを受信したと判別したときには、ＣＰＵ１０１は、遺言者登録情報格納部１０４に格納されている遺言者登録情報を参照して、受信したＩＤおよびパスワードと一致する相続人用ＩＤおよびパスワードがあるか否かにより、受信したＩＤおよびパスワードの認証確認をする（ステップＳ１８７）。
【０１７８】
このステップＳ１８７で、遺言者登録情報中に、受信したＩＤおよびパスワードと一致する相続人用ＩＤおよびパスワードがなく、認証確認が取れないと判別したときには、ＣＰＵ１０１は、エラー表示をアクセス者装置に送信する（ステップＳ１８８）。そして、ＣＰＵ１０１は、処理をステップＳ１８３に戻し、ＩＤおよびパスワードの再受信を待つ。
【０１７９】
また、ステップＳ１８７で、遺言者登録情報中に、受信したＩＤおよびパスワードと一致する相続人用ＩＤおよびパスワードがあり、認証確認が取れたと判別したときは、ＣＰＵ１０１は、受信したＩＤおよびパスワードと一致する相続人用ＩＤおよびパスワードに対応する遺言者識別子を認識する（ステップＳ１８９）。
【０１８０】
そして、ＣＰＵ１０１は、認識した遺言者識別子に対応する遺言者本人の死亡が登録されているか否か判別する（ステップＳ１９０）。このステップＳ１９０で、認識した遺言者識別子に対応する遺言者本人の死亡が登録されていなければ、ＣＰＵ１０１は、当該アクセス者に対してアクセス拒否を通知する（ステップＳ１９１）。その後、ＣＰＵ１０１は、処理をステップＳ１０２に戻し、このステップＳ１０２以降の処理を繰り返す。
【０１８１】
また、ステップＳ１９０で、認識した遺言者識別子に対応する遺言者本人の死亡が登録されていると判別したときには、ＣＰＵ１０１は、アクセス者装置（相続人装置３）との間に通信路を確立する（ステップＳ１９２）。そして、ＣＰＵ１０１は、相続人用の閲覧メニューページを送信する（ステップＳ１９３）。この相続人用の閲覧メニューページには、閲覧項目として、遺言明細目録、死後代行登録情報、ネット資産が表示される。
【０１８２】
次に、ＣＰＵ１０１は、アクセス者装置からの閲覧項目の選択を伴う閲覧要求の受信を監視し（ステップＳ２０１）、当該閲覧要求を受信したと判別したときには、ステップＳ１８９で認識した遺言者識別子に対応付けられている登録情報のうち、選択された閲覧項目の登録データを、アクセス者装置に送信する（ステップＳ２０２）。
【０１８３】
そして、ＣＰＵ１０１は、アクセス者から「終了」要求を受信したか否か判別し（ステップＳ２０３）、「終了」要求を受信してはいないと判別したときには、処理をステップＳ２０１に戻し、このステップＳ２０１以降の処理を繰り返す。また、ステップＳ２０３で、「終了」要求を受信したと判別したときには、ＣＰＵ１０１は、ステップＳ１９２で確立した通信路を切断して（ステップＳ２０４）、この処理ルーチンを終了する。
【０１８４】
また、ステップＳ２０１で、アクセス者装置からの閲覧項目の選択を伴う閲覧要求を受信してはいないと判別したときには、ＣＰＵ１０１は、アクセス者から「戻る」要求を受信したか否か判別する（ステップＳ２０５）。
【０１８５】
このステップＳ２０５で、「戻る」要求を受信したと判別したときには、ＣＰＵ１０１は、処理をステップＳ１０２に戻し、このステップＳ１０２以降の処理を繰り返す。また、ステップＳ２０５で、「戻る」要求を受信してはいないと判別したときには、ＣＰＵ１０１は、ステップＳ２０３に進み、アクセス者から「終了」要求を受信したか否か判別し、このステップＳ２０３以降の処理を繰り返す。
【０１８６】
次に、図１６のステップＳ１８１で、アクセス者は相続人ではないと判別したときには、ＣＰＵ１０１は、アクセス者は参照者であるか否か判別する（図１８のステップＳ２１１）。
【０１８７】
このステップＳ２１１でアクセス者が参照者であることを判別できなかったときには、ＣＰＵ１０１は、アクセス者が遺言者本人、相続人、参照者のいずれであるかの問い合わせページにある「キャンセル」アイコンの押下による「キャンセル」要求を受信したか否か判別する（ステップＳ２２２）。
【０１８８】
このステップＳ２２２で、「キャンセル」要求を受信してはいないと判別したときには、ＣＰＵ１０１は、処理をステップＳ１０３に戻し、アクセス者の判別の処理を繰り返す。また、このステップＳ２２２で、「キャンセル」要求を受信したと判別したときには、ＣＰＵ１０１は、アクセスをキャンセル処理して（ステップＳ２１６）、この処理ルーチンを終了する。
【０１８９】
また、ステップＳ２１１でアクセス者は参照者であると判別したときには、ＣＰＵ１０１は、参照者の認証用ページを、アクセス者装置（ここでは、参照者装置４）に送信する（ステップＳ２１２）。
【０１９０】
この参照者の認証用ページを受け取ったアクセス者が参照者である場合は、認証用として参照者用ＩＤおよびパスワードを送信してくる。また、アクセス者が参照者ではなく、ステップＳ１０２での問い合わせに対する応答を誤った場合には、アクセス者は、この認証用ページにある「戻る」アイコンを押下する。さらに、アクセス者が、認証用の参照者用ＩＤおよびパスワードを知らない、あるいは忘れたなどの理由で、アクセスを断念する場合には、アクセス者は、この認証用ページにある「キャンセル」アイコンを押下する。アクセス者が、それらを押下操作すると、アクセス者装置は、それぞれ「戻る」要求、「キャンセル」要求を、遺言登録サーバ１に送信する。
【０１９１】
ステップＳ２１２の次には、ＣＰＵ１０１は、先ず、認証用のＩＤおよびパスワードを受信したか否か判別し（ステップＳ２１３）、ＩＤおよびパスワードを受信してはいないと判別したときには、アクセス者から「戻る」要求を受信したか否か判別する（ステップＳ２１４）。
【０１９２】
このステップＳ２１４で、「戻る」要求を受信したと判別したときには、ＣＰＵ１０１は、処理をステップＳ１０２に戻し、アクセス者の問い合わせページをアクセス者装置に送信して、このステップＳ１０２以降の処理を繰り返す。また、ステップＳ２１４で、「戻る」要求を受信してはいないと判別したときには、ＣＰＵ１０１は、アクセス者から「キャンセル」要求を受信したか否か判別する（ステップＳ２１５）。
【０１９３】
このステップＳ２１５で、「キャンセル」要求を受信してはいないと判別したときには、ＣＰＵ１０１は、処理をステップＳ２１３に戻し、このステップＳ２１３以降の処理を繰り返す。また、ステップＳ２１５で、「キャンセル」要求を受信したと判別したときには、ＣＰＵ１０１は、アクセスをキャンセル処理して（ステップＳ２１６）、この処理ルーチンを終了する。
【０１９４】
また、ステップＳ２１３で、アクセス者からＩＤおよびパスワードを受信したと判別したときには、ＣＰＵ１０１は、遺言者登録情報格納部１０４に格納されている遺言者登録情報を参照して、受信したＩＤおよびパスワードと一致する参照者用ＩＤおよびパスワードがあるか否かにより、受信したＩＤおよびパスワードの認証確認をする（ステップＳ２１７）。
【０１９５】
このステップＳ２１７で、遺言者登録情報中に、受信したＩＤおよびパスワードと一致する参照者用ＩＤおよびパスワードがなく、認証確認が取れないと判別したときには、ＣＰＵ１０１は、エラー表示をアクセス者装置に送信する（ステップＳ２１８）。そして、ＣＰＵ１０１は、処理をステップＳ２１３に戻し、ＩＤおよびパスワードの再受信を待つ。
【０１９６】
また、ステップＳ２１７で、遺言者登録情報中に、受信したＩＤおよびパスワードと一致する相続人用ＩＤおよびパスワードがあり、認証確認が取れたと判別したときは、ＣＰＵ１０１は、受信したＩＤおよびパスワードと一致する参照者用ＩＤおよびパスワードに対応する遺言者識別子を認識する（ステップＳ２１９）。
【０１９７】
そして、ＣＰＵ１０１は、アクセス者装置（参照者装置４）との間に通信路を確立する（ステップＳ２２０）。そして、ＣＰＵ１０１は、参照者用の閲覧メニューページを送信する（ステップＳ２２１）。この参照者用の閲覧メニューページには、閲覧項目として、遺言明細目録、死後代行登録情報、ネット資産が表示される。
【０１９８】
次に、ＣＰＵ１０１は、アクセス者装置からの閲覧項目の選択を伴う閲覧要求の受信を監視し（ステップＳ２３１）、アクセス者装置からの閲覧項目の選択を伴う閲覧要求を受信してはいないと判別したときには、ＣＰＵ１０１は、アクセス者から「戻る」要求を受信したか否か判別する（ステップＳ２３２）。
【０１９９】
このステップＳ２３２で、「戻る」要求を受信したと判別したときには、ＣＰＵ１０１は、処理をステップＳ１０２に戻し、このステップＳ１０２以降の処理を繰り返す。また、ステップＳ２３２で、「戻る」要求を受信してはいないと判別したときには、ＣＰＵ１０１は、アクセス者から「終了」要求を受信したか否か判別し（ステップＳ２３３）、「終了」要求を受信してはいないと判別したときには、処理をステップＳ２３１に戻し、このステップＳ２３１以降の処理を繰り返す。また、ステップＳ２３３で、「終了」要求を受信したと判別したときには、ＣＰＵ１０１は、ステップＳ２２０で確立した通信路を切断して（ステップＳ２３９）、この処理ルーチンを終了する。
【０２００】
そして、ステップＳ２３１で、アクセス者装置から閲覧要求を受信したと判別したときには、ＣＰＵ１０１は、要求された閲覧項目は遺言者によりセキュリティが、より高いものとして登録されているか否か判別する（ステップＳ２３４）。
【０２０１】
このステップＳ２３４で、要求された閲覧項目は遺言者によりセキュリティが、より高いものとして登録されていると判別したときには、ＣＰＵ１０１は、要求された閲覧項目についてのパスワードを要求するページをアクセス者装置に送信する（ステップＳ２３５）。そして、ＣＰＵ１０１は、アクセス者装置から送られてくるパスワードの受信を監視し（ステップＳ２３６）、パスワードを受信してはいないと判別したときには、アクセス者から「戻る」要求を受信したか否か判別する（ステップＳ２３７）。
【０２０２】
このステップＳ２３７で、「戻る」要求を受信したと判別したときには、ＣＰＵ１０１は、処理をステップＳ２２１に戻し、閲覧メニューページを表示し、このステップＳ２２１以降の処理を繰り返す。また、ステップＳ２３７で、「戻る」要求を受信してはいないと判別したときには、ＣＰＵ１０１は、アクセス者から「終了」要求を受信したか否か判別し（ステップＳ２３８）、「終了」要求を受信してはいないと判別したときには、処理をステップＳ２３６に戻し、このステップＳ２３６以降の処理を繰り返す。また、ステップＳ２３８で、「終了」要求を受信したと判別したときには、ＣＰＵ１０１は、ステップＳ２２０で確立した通信路を切断して（ステップＳ２３９）、この処理ルーチンを終了する。
【０２０３】
そして、ステップＳ２３６で、アクセス者装置からパスワードを受信したと判別したときには、ＣＰＵ１０１は、当該パスワードが、ステップＳ２１９で認識された遺言者識別子の遺言者により設定されたパスワードと一致しているか否かにより認証確認を行う（ステップＳ２４０）。
【０２０４】
このステップＳ２４０で、受信したパスワードと登録されているパスワードが不一致であるため認証確認が取れないと判別したときには、ＣＰＵ１０１は、エラー表示をアクセス者装置に送信する（ステップＳ２４１）。そして、ＣＰＵ１０１は、処理をステップＳ２３６に戻し、パスワードの再受信を待つ。
【０２０５】
ステップＳ２４０で、受信したパスワードと登録されているパスワードが一致したことにより認証確認が取れたと判別したときには、ＣＰＵ１０１は、ステップＳ２１９で認識した遺言者識別子に対応付けられている登録情報のうち、選択された閲覧項目の登録データであって、遺言者により閲覧可能とされている登録データを、アクセス者装置に送信する（ステップＳ２４２）。
【０２０６】
そして、ＣＰＵ１０１は、アクセス者から「終了」要求を受信したか否か判別し（ステップＳ２４３）、「終了」要求を受信してはいないと判別したときには、処理をステップＳ２３１に戻し、このステップＳ２３１以降の処理を繰り返す。また、ステップＳ２４３で、「終了」要求を受信したと判別したときには、ＣＰＵ１０１は、ステップＳ２２０で確立した通信路を切断して（ステップＳ２３９）、この処理ルーチンを終了する。
【０２０７】
また、ステップＳ２３４で、要求された閲覧項目は遺言者によりセキュリティが、より高いものとして登録されてはいないと判別したときには、ＣＰＵ１０１は、処理をステップＳ２３４からステップＳ２４２にジャンプさせ、ステップＳ２１９で認識した遺言者識別子に対応付けられている登録情報のうち、選択された閲覧項目の登録データであって、遺言者により閲覧可能とされている登録データを、アクセス者装置に送信する。そして、このステップＳ２４２以降の処理を繰り返す。
【０２０８】
＜遺言者の死亡を証明する書面を遺言登録サイトで受信したときの処理の流れ＞
前述したように、この実施形態では、遺言者の死亡後、その相続人は、死亡届、死亡診断書、埋葬許可証や埋葬証明書等の遺言者の死亡を証明する書面の写しを、郵送や電子メールの添付情報として遺言登録サーバ１の運営会社宛に送付する。
【０２０９】
遺言登録サーバ１の運営会社のオペレータは、郵送で受け取った当該書面はイメージスキャナでスキャンしてイメージデータに変換して、遺言登録サーバ１に入力する。また、電子メールに添付されてきた当該書面のイメージデータを、遺言登録サーバ１に入力するようにする。
【０２１０】
図２０は、この遺言者の死亡を証明する書面のイメージデータが入力されたときの遺言登録サーバ１における処理動作例の流れを示すフローチャートである。
【０２１１】
ＣＰＵ１０１は、遺言者の死亡を証明する書面のイメージデータの入力を待ち（ステップＳ２５１）、遺言者の死亡を証明する書面のイメージデータを取得したと判別したときには、取得したイメージデータを画像認識し、遺言者を特定する氏名、住所、生年月日などのデータを抽出する（ステップＳ２５２）。
【０２１２】
次に、ＣＰＵ１０１は、遺言者登録情報に登録されている各遺言者の氏名、住所、生年月日などの遺言者を特定するためのデータ（以下、登録遺言者特定データという）を読み出して、ステップＳ２５２で抽出したデータ（以下、抽出遺言者特定データという）と比較対照する（ステップＳ２５３）。
【０２１３】
次に、ＣＰＵ１０１は、抽出遺言者特定データと一致する登録遺言者特定データが、遺言者登録情報中に有るか否かにより、死亡した遺言者の確認ができたか否かの処理を行う（ステップＳ２５４）。このステップＳ２５４で、抽出遺言者特定データと一致する登録遺言者特定データが、遺言者登録情報中に有ったことにより、死亡した遺言者の確認ができたときには、ＣＰＵ１０１は、一致した登録遺言者特定データに対応付けられた遺言者識別子を認識し、当該遺言者識別子に対応付けて、その遺言者登録情報中に死亡を登録する（ステップＳ２５５）。なお、遺言者登録情報中に、当該遺言者の死亡を登録するのではなく、遺言者識別子に対応付けて当該遺言者の死亡を別途登録するようにしても勿論良い。
【０２１４】
ステップＳ２５５の次には、ＣＰＵ１０１は、遺言者の死亡を知らせてきた相続人に、相続人３Ａとして遺言登録サーバ１にアクセスするために必要なＵＲＬを送信するための処理を行う（ステップＳ２５６）。このステップＳ２５６の処理は、前記ＵＲＬを郵送で送る場合には、当該ＵＲＬを記述した書面をプリンタ１１４によりプリントアウトする処理であり、前記ＵＲＬを電子メールにより送る場合には、当該電子メールによる送信処理である。
【０２１５】
ステップＳ２５６の次には、ＣＰＵ１０１は、死亡した遺言者について必要な死亡後処理を実行する（ステップＳ２５７）。
【０２１６】
また、ステップＳ２５４で、抽出遺言者特定データと一致する登録遺言者特定データが、遺言者登録情報中に発見できなかったことにより、死亡した遺言者の確認ができなかったときには、ＣＰＵ１０１は、遺言者の死亡を知らせてきた者に、遺言者を特定できなかった旨の通知を送信するための処理を行う（ステップＳ２５８）。このステップＳ２５８での処理も、ステップＳ２５６と同様で、通知書類をプリントアウトするか、電子メールで前記通知を行うかの処理となる。そして、死亡した遺言者を確認できなかったので、このステップＳ２５８の処理で終了となる。
【０２１７】
図２１および図２２は、ステップＳ２５７における遺言者の死亡後処理の例を説明するためのフローチャートである。
【０２１８】
ＣＰＵ１０１は、死亡した遺言者の遺言者識別子に対応付けられた死後代行登録情報が登録されているか否か判別する（ステップＳ２６１）。そして、死後代行登録情報が登録されていると判別したときには、ＣＰＵ１０１は、代行要求が記録されている登録情報のうち、当該遺言登録サーバ１で実行することができるものは、そのまま実行し、オペレータなどが実行すべきものについては、それを代行リストとして、例えばプリントアウトする（ステップＳ２６２）。ここで、遺言登録サーバ１で実行することができる代行サービスとしては、遺言者が死亡通知を送ってもらいたいとして登録した友人等であって、電子メールアドレスが登録されているものについて、電子メールによる死亡通知の送信や、保険会社への通知などがある。
【０２１９】
次に、ＣＰＵ１０１は、代行要求のあるものも含めて、遺族への通知が要求されている登録情報について、同様に実行することができものについては実行し、オペレータなどが実行すべきものについては、それを通知リストとして、例えばプリントアウトする（ステップＳ２６３）。
【０２２０】
次に、ＣＰＵ１０１は、死亡した遺言者の遺言者識別子に対応付けられたネット資産の登録情報が存在するか否か判別する（ステップＳ２６４）。このステップＳ２６４で、死亡した遺言者の遺言者識別子に対応付けられたネット資産の登録情報は無いと判別したときには、ＣＰＵ１０１は、この処理ルーチンを終了する。
【０２２１】
また、ステップＳ２６４で、死亡した遺言者の遺言者識別子に対応付けられたネット資産の登録情報が存在していると判別したときには、ＣＰＵ１０１は、そのネット資産を提供しているサービス会社のサイトのサーバに、自動退会手続を代行で実行する（ステップＳ２６５）。
【０２２２】
次に、ＣＰＵ１０１は、死亡した遺言者の遺言者識別子に対応付けられて登録されているネット資産の中に、相続できるネット資産があるか否か判別する（ステップＳ２７１）。このステップＳ２７１で、相続できるネット資産がないと判別したときには、ＣＰＵ１０１は、この処理ルーチンを終了する。また、ステップＳ２７１で、相続できるネット資産があると判別したときには、ＣＰＵ１０１は、相続人の指定がなされているか否か判別する（ステップＳ２７２）。
【０２２３】
このステップＳ２７２で、相続人の指定がなされていると判別したときには、ＣＰＵ１０１は、その相続人の電子メールアドレスが登録されていれば、電子メールにより当該相続人にネット資産の遺贈があることを通知し、その遺贈を受けるか否かを問い合わせる（ステップＳ２７３）。そして、電子メールによる回答を待って、相続人が遺贈を受けるか否か判別し（ステップＳ２７５）、遺贈を受けると判別した場合には、ＣＰＵ１０１は、ネット資産のサービス提供会社のサーバに対して、ネット資産のサービスを受ける者の変更手続を代行する（ステップＳ２７６）。
【０２２４】
そして、相続人に対して、当該相続人がネット資産のサービスを受けるためのＩＤおよびパスワードを、電子メールにより通知する（ステップＳ２３７）。そして、この処理ルーチンを終了する。
【０２２５】
また、ステップＳ２７２で、相続人の指定がなされていないと判別したときには、ＣＰＵ１０１は、死亡を知らせてきた遺族の電子メールアドレスが登録されていれば、当該遺族に電子メールにより遺贈可能なネット資産があることを通知し、その遺贈を受けるか否かと、受ける場合には相続人は誰かを問い合わせる（ステップＳ２７４）。そして、ステップＳ２７５に進み、このステップＳ２７５以降の処理を実行する。
【０２２６】
なお、相続人や遺族の電子メールアドレスが登録されていない場合には、ステップＳ２７３やステップＳ２７４においては、その相続人の氏名、住所および遺贈されるネット資産の情報を、例えばプリントアウトして、オペレータにより郵送などにより問い合わせ通知をさせるようにする。そして、ステップＳ２７７においても、相続人がネット資産のサービスを受けるためのＩＤおよびパスワードを、例えばプリントアウトして、オペレータにより郵送などにより、それを通知させるようにする。
【０２２７】
［実施形態の効果］
上述の実施形態においては、遺言登録サーバ１は、遺言者の死亡を、公的機関が発行する死亡届、死亡診断書、埋葬許可証や埋葬証明書などの書面の記載内容により確認するようにするので、何者かが遺言者の死亡を偽装して、遺言登録サーバ１へ不正アクセスをすること防止することができる。
【０２２８】
また、上述の実施形態では、相続人が遺言登録サーバ１にアクセスするためのＵＲＬと、相続人用ＩＤおよびパスワードを別個のルートから取得するようにしてあるので、遺言者の遺言および遺言に関連する情報に対するセキュリティは向上する。
【０２２９】
また、上述の実施形態では、遺言者本人、相続人、参照者のそれぞれに対して、ＩＤおよびパスワードを設定するようにしており、遺言明細目録を登録および更新するには、遺言者本人用のＩＤおよびパスワードを認証情報として必要であるので、遺言明細目録が、遺言者本人以外の者によりアクセスされて改竄されることが無く、セキュリティが保たれる。
【０２３０】
遺言者は、遺言書と遺言明細目録とを別々に作成し、遺言明細目録を遺言登録サーバ１に登録するようにしているので、遺言書に、明細目録の内容を記述する必要が無く、当該明細目録が変更する必要がある場合には、遺言者は、遺言登録サーバ１の遺言明細目録のみを変更すれば良い。
【０２３１】
また、遺言者は、遺言登録サーバ１に、死後にして欲しいことを登録して、遺族に通知してもらうことができると共に、必要な死後手続を自動的に代行してもらうことができるので便利である。
【０２３２】
さらに、ネット資産については、相続できないものは、自動的に退会手続やＩＤおよびパスワードの停止などを代行してもらうことができるので、これらのネット資産がネット上のガベッジとなってしまうのを防止することができる。
【０２３３】
［その他の実施形態および変形例］
なお、上述の実施形態では、相続人用ＩＤおよびパスワードは、遺言者２Ａからその通知を受けた管理者７から相続人３Ａが取得するようにしたが、遺言書６に、相続人用ＩＤおよびパスワードが記述されていても良い。また、遺言者の死亡を証明する書面の提出に対する返信として、ＵＲＬのみではなく、相続人用ＩＤおよびパスワードを通知するようにしても良い。しかし、この実施形態のように、ＵＲＬと、相続人用ＩＤおよびパスワードを別個のルートから取得するようにしておけば、遺言者の遺言および遺言に関連する情報に対するセキュリティは、より高くなる。
【０２３４】
また、上述の例では、遺言書に、遺言登録サイトに遺言者の死亡を証明する書面を送るように依頼する文面が記述されていたが、管理者７が、遺言者２Ａの生前における依頼を受けて、その旨を相続人３Ａに伝えるようにしても良い。
【０２３５】
また、上述の実施形態では、死亡届や死亡診断書等の遺言者の死亡を証明するための書面は、郵送や電子メールで、遺言登録サーバ側に送信するようにしたが、遺言者を特定するための情報を読み取ることができる精度で送信することができれば、ファクシミリ送信するようにしても良い。また、遺族が直接に、遺言登録サーバ側のオペレータに手渡ししても良いことは言うまでもない。
【０２３６】
なお、上述の実施形態では、遺言者の死亡が確認されたときに、遺言登録サイトは、遺言者の死亡を確認するための書面の記載内容を送ってきた者に、遺言登録サーバ１にアクセスするためのＵＲＬを送るようにした。しかし、これに限らず、遺言者が予めＵＲＬを通知する相続人を遺言登録サーバ１に登録しておくことができるように構成し、遺言登録サイトは、遺言登録サーバ１へアクセスするためのＵＲＬを、当該登録された相続人に送るように構成してもよい。
【符号の説明】
【０２３７】
１…遺言登録サーバ、２…遺言者本人装置、３…相続人装置、４…参照者装置、５…ネットワーク、１０４…遺言者登録情報格納部、１０５…遺言明細目録格納部、１０６…死後代行登録情報格納部、１１１…認証処理部、１１２…画像認識部、１１…ネット資産相続可否データベース
【図１】
0005544265.tif 000002
【図２】
0005544265.tif 000003
【図３】
0005544265.tif 000004
【図４】
0005544265.tif 000005
【図５】
0005544265.tif 000006
【図６】
0005544265.tif 000007
【図７】
0005544265.tif 000008
【図８】
0005544265.tif 000009
【図９】
0005544265.tif 000010
【図１０】
0005544265.tif 000011
【図１１】
0005544265.tif 000012
【図１２】
0005544265.tif 000013
【図１３】
0005544265.tif 000014
【図１４】
0005544265.tif 000015
【図１５】
0005544265.tif 000016
【図１６】
0005544265.tif 000017
【図１７】
0005544265.tif 000018
【図１８】
0005544265.tif 000019
【図１９】
0005544265.tif 000020
【図２０】
0005544265.tif 000021
【図２１】
0005544265.tif 000022
【図２２】
0005544265.tif 000023